(57)【特許請求の範囲】
【請求項１】
単一の周波数および単一のタイムスロットを備える単一チャネルにおいて２つの信号を送信する方法であって、
トレーニングシーケンスの第１セットから第１トレーニングシーケンスを生成し、
トレーニングシーケンスの第２セットから第２トレーニングシーケンスを生成し、前記第２トレーニングシーケンスは前記第１トレーニングシーケンスと異なり、前記第１および第２トレーニングシーケンスは互いに低い相互相関比を有し、トレーニングシーケンスの前記第２セットはトレーニングシーケンスの前記第１セットと異なり、
第１データを生成し、
第２データを生成し、
前記第１データと前記第１トレーニングシーケンスを合わせて第１合成データを形成し、
前記第２データと前記第２トレーニングシーケンスを合わせて第２合成データを形成し、
前記第１合成データを備える第１信号と前記第２合成データを備える第２信号とを単一送信装置により前記単一チャネルにおいて送信すること、を備える方法。
【請求項２】
トレーニングシーケンスの前記第２セットが遠隔局によりサポートされたことを示す信号を受信することを更に備える請求項１記載の方法。
【請求項３】
前記トレーニングシーケンスの第２セットが前記遠隔局によって接続のために使用されることを示すチャネル記述を含む信号を送信すること、
をさらに備える請求項１又は請求項２記載の方法。
【請求項４】
前記チャネル記述は、チャネルタイプフィールドおよびＴＤＭＡオフセットフィールドを備え、
前記チャネルタイプフィールドおよびＴＤＭＡオフセットフィールドは、
8 7 6 5 4 (ビット数)
S 0 0 0 1     TCH/F + ACCHs
S 0 0 1 T     TCH/H + ACCHs
S 0 1 T T     SDCCH/4 + SACCH/C4 あるいは CBCH (SDCCH/4)
S 1 T T T     SDCCH/8 + SACCH/C8 あるいは CBCH (SDCCH/8),を備え、
Ｓの値で示された前記ビット数８は、使用するトレーニングシーケンスセットを示す、請求項３記載の方法。
【請求項５】
トレーニングシーケンスの前記第１セットの各シーケンスは、トレーニングシーケンスの前記第１セットの前記シーケンスに関して最低の相互相関比を提供するトレーニングシーケンスの前記第２セットにおいて相補シーケンスを備える、請求項４記載の方法。
【請求項６】
トレーニングシーケンス（ＴＳＣ０〜ＴＳＣ７）の前記第１セットは、
00100 1011100001000100 10111 (TSC 0)
00101 1011101111000101 10111 (TSC 1) 
01000 0111011101001000 OH IO (TSC 2)
01000 1111011010001000 11110 (TSC 3) 
00011 0101110010000011 01011 (TSC 4)
01001 1101011000001001 11010 (TSC 5) 
10100 1111101100010100 11111 (TSC 6)
11101 1110001001011101 11100 (TSC 7)を備え、
トレーニングシーケンスの前記第２セットは、
01111 1100110101001111 11001 (TSC 0')
01100 1111110010101100 11111 (TSC 1 ')
01110 1101111010001110 11011 (TSC 2')
01101 1110100011101101 11101 (TSC 3')
11110 1101110001011110 11011 (TSC 4')
01010 1100111111001010 11001 (TSC 5')
01101 1100101000001101 11001 (TSC 6')
11100 1101010011111100 11010 (TSC 7’) あるいは
01111 1100110101001111 11001 (TSC 0')
01101 1100010111101101 11000 (TSC 1 ')
00101 1110110111000101 11101 (TSC 2')
11110 1101110001011110 11011 (TSC 3')
01100 1111110010101100 11111(TSC 4')
01010 0000110111001010 00001 (TSC 5')
01000 0101110001001000 01011 (TSC 6')
11100 1011111011111100 10111 (TSC 7')のどちらかを備える請求項５記載の方法。
【請求項７】
前記第１および第２信号を組み合わせて結合した信号を生成し、前記結合した信号を送信することをさらに備える請求項１乃至６のいずれか１項記載の方法。
【請求項８】
前記送信装置は単一基地局の一部であり、
前記第１および第２信号は、第１および第２遠隔局のそれぞれに用いられ、
前記遠隔局は双方とも前記単一基地局によってサービス提供される請求項１乃至７のいずれか１項記載の方法。
【請求項９】
前記第２トレーニングシーケンスは遠隔局装置により送信された信号に用いられる請求項１乃至８のいずれか１項記載の方法。
【請求項１０】
単一の周波数および単一のタイムスロットを備える単一チャネルにおいて２つの信号を送信する装置であって、
トレーニングシーケンスの第１セットから第１トレーニングシーケンスを生成する手段と、
トレーニングシーケンスの第２セットから第２トレーニングシーケンスを生成する手段と、前記第１および第２トレーニングシーケンスを生成する手段は、前記第２トレーニングシーケンスは前記第１トレーニングシーケンスと異なり、前記第１および第２シーケンスは互いに低い相互相関比を有し、トレーニングシーケンスの前記第２セットは、トレーニングシーケンスの前記第１セットと異なるように、前記第１および第２トレーニングシーケンスを生成するように構成され、
第１データを生成する手段と、
第２データを生成する手段と、
前記第１データと前記第１トレーニングシーケンスとを合わせて第１合成データを形成する手段と、
前記第２データと前記第２トレーニングシーケンスとを合わせて第２合成データを形成する手段と、
単一送信装置によって前記単一チャネルにおいて前記第１合成データを備える第１信号と前記第２合成データを備える第２信号とを送信する手段と、を備える装置。
【請求項１１】
トレーニングシーケンスの前記第２セットが遠隔局によりサポートされたことを示す信号を受信する手段をさらに備える請求項１０記載の装置。
【請求項１２】
トレーニングシーケンスの前記第２セットが前記遠隔局により接続のために使用されることを示すチャネルの記述を備える信号を送信する手段をさらに備える請求項１１記載の装置。
【請求項１３】
前記装置は、前記チャネルの記述がチャネルタイプフィールドとＴＤＭＡオフセットフィールドとを有するように前記信号を送信するように構成されており、
前記チャネルタイプフィールドと前記ＴＤＭＡオフセットフィールドとは、
8 7 6 5 4 (ビット数)
S 0 0 0 1     TCH/F + ACCHs
S 0 0 1 T     TCH/H + ACCHs
S 0 1 T T     SDCCH/4 + SACCH/C4 あるいは CBCH (SDCCH/4)
S 1 T T T     SDCCH/8 + SACCH/C8 あるいは CBCH (SDCCH/8)、を備え
Ｓの値で示された前記ビット数８は、使用するトレーニングシーケンスを示す請求項１２記載の装置。
【請求項１４】
前記第１および第２トレーニングシーケンスを生成する前記手段は、トレーニングシーケンスの前記第１セットの各シーケンスはトレーニングシーケンスの前記第１セットの前記シーケンスに対して最低の相互相関比を提供するトレーニングシーケンスの前記第２セットの相補シーケンスを有するように、前記第１および第２トレーニングシーケンスを生成するように構成されている請求項１３記載の装置。
【請求項１５】
トレーニングシーケンス（ＴＳＣ０〜ＴＳＣ７）の前記第１セットは、
00100 1011100001000100 10111 (TSC 0) 
00101 1011101111000101 10111 (TSC 1) 
01000 0111011101001000 01110 (TSC 2)
01000 1111011010001000 11110 (TSC 3)
00011 0101110010000011 01011 (TSC 4)
01001 1101011000001001 11010 (TSC 5)
10100 1111101100010100 11111 (TSC 6)
11101 1110001001011101 11100 (TSC 7))を備え、
トレーニングシーケンスの前記第２セットは、
01111 1100110101001111 11001 (TSC 0’)
01100 1111110010101100 11111 (TSC 1’)
01110 1101111010001110 11011 (TSC 2’)
01101 1110100011101101 11101 (TSC 3’)
11110 1101110001011110 11011 (TSC 4’)
01010 1100111111001010 11001 (TSC 5’)
01101 1100101000001101 11001 (TSC 6’)
11100 1101010011111100 11010 (TSC 7’) あるいは
01111 1100110101001111 11001 (TSC 0’)
01101 1100010111101101 11000 (TSC 1’)
00101 1110110111000101 11101 (TSC 2’)
11110 1101110001011110 11011 (TSC 3’)
01100 1111110010101100 11111(TSC 4’)
01010 0000110111001010 00001 (TSC 5’)
01000 0101110001001000 01011 (TSC 6’)
11100 1011111011111100 10111 (TSC 7’) を備えるように、前記第１および第２トレーニングシーケンスを生成する前記手段は前記トレーニングシーケンスを生成するように構成されている、請求項１４記載の装置。
【請求項１６】
前記第１および第２信号を合わせて合成信号を生成する手段をさらに備え、前記送信する手段は前記合成信号を送信するために配置される請求項１０乃至１５のいずれか１項記載の装置。
【請求項１７】
前記装置は単一基地局の一部であって、
前記装置は第１および第２遠隔局のそれぞれに対してサービス提供し、前記第１および第２遠隔局のそれぞれに対して前記第１および第２信号を送信するように構成される請求項１０乃至請求項１６のいずれか１項記載の装置。
【請求項１８】
遠隔局により送信される信号を受信する受信器をさらに備え、前記信号は前記第２トレーニングシーケンスを備える請求項１０乃至１７のいずれか１項記載の装置。
【請求項１９】
プロセッサと、
前記プロセッサとの電子通信におけるメモリと、
前記メモリに格納された命令と、を備え、前記命令は前記プロセッサにより、
トレーニングシーケンスの第１セットの第１トレーニングシーケンスを生成し、
トレーニングシーケンスの第２あるいは第３セットの第２トレーニングシーケンスを生成し、前記第２トレーニングシーケンスは前記第１トレーニングシーケンスとは異なり、第１および第２トレーニングシーケンスのそれぞれは他のトレーニングシーケンスに対して低い相互相関比を有し、
第１データを生成し、
第２データを生成し、
前記第１データを前記第１トレーニングシーケンスと合わせて第１合成データを形成し、
前記第２データを前記第２トレーニングシーケンスと合わせて第２合成データを形成し、
単一周波数および単一タイムスロットを備える第１チャネルにおいて単一送信装置により、前記第１合成データを備える第１信号と前記第２合成データを備える第２信号とを送信することを可能にする、装置。
【請求項２０】
無線通信システムにおいて作動する装置であって、
送信のために第１および第２データを供給するためのデータソースと、
第１トレーニングシーケンスおよび第２の異なるトレーニングシーケンスを生成する少なくとも１つのシーケンス生成器と、
前記第１トレーニングシーケンスを前記第１データと合わせて第１合成データを形成し、前記第２トレーニングシーケンスを前記第２データと合わせて第２合成データを形成するための合成器と、
同じ搬送周波数および同じタイムスロットを使用して前記第１および第２合成データの両方を変調および送信する送信機と、を備え、前記第１トレーニングシーケンスと前記第２の相補的な新たなトレーニングシーケンスとの間の相互相関比は非常に低い装置。
【請求項２１】
前記第１トレーニングシーケンスは前記第２トレーニングシーケンスに相補的である請求項２０記載の装置。
【請求項２２】
前記少なくとも１つのシーケンス生成器は、複数のシーケンス生成器である請求項２０記載の装置。
【請求項２３】
コンピュータにより実行される時に請求項１乃至９のいずれか１項に記載された方法を実行する命令を備えるコンピュータ可読媒体。 
【請求項２４】
請求項１乃至９の１項に記載された方法をコンピュータに実行させるプログラム。
【発明の詳細な説明】
【技術分野】
【０００１】
本発明は一般的に無線通信に関し、特に、無線通信システムでのチャネル容量の増加に関する。
【背景技術】
【０００２】
ますます多くの人々が、音声だけでなくデータ通信のために、例えば携帯電話のような、移動通信デバイスを使用している。ＧＳＭ（登録商標）／ＥＤＧＥラジオアクセスネットワーク（ＧＥＲＡＮ）規格において、ＧＰＲＳとＥＧＰＲＳとはデータサービスを提供する。ＧＥＲＡＮのための基準は、３ＧＰＰ（第３世代パートナーシッププロジェクト）によって維持される。ＧＥＲＡＮは移動通信のためのグローバルシステム（ＧＳＭ）の一部である。より具体的には、ＧＥＲＡＮは、基地局（AterおよびAbiSインターフェース）および基地局コントローラ（Ａインターフェースなど）を連結するネットワークとともに、にＧＳＭ／ＥＤＧＥの無線部である。ＧＥＲＡＮは、ＧＳＭネットワークの核心を表わす。それは、ＰＳＴＮとインターネットとの間で、および、移動局を含む遠隔局間で通話およびパケットデータを送る。ＵＭＴＳ（Universal Mobile Telecommunications System）基準は、高いでデータ率と大きなバンド幅を採用した第３世代通信システムのために、ＧＭＳシステムに適用されている。ＧＥＲＡＮはさらに結合したＵＭＴＳ／ＧＳＭネットワークの一部である。
【０００３】
下記の課題は、今日のネットワーク中に存在している。第１に、より多くのトラフィックチャネルが必要である、容量の課題である。ダウンリンク（ＤＬ）上では、アップリンク（ＵＬ）上でよりもデータ効率の高い需要があるので、ＤＬとＵＬとの使用法は対称的ではない。例えば、ＦＴＰ転送を行う移動局（ＭＳ）は、全割合として４ユーザリソースをとり、半分の割合として８ユーザリソースをとることを意味するかもしれない４ＤＩＵが与えられるだろう。それが現在有効である場合、ネットワークは音声あるいは１データ呼上の４あるいは８の呼出元へのサービスを提供するべきであるか否か決定を下さなければならない。データ呼と音声通話との両方が同時に行われる場合、ＤＴＭ(dual transfer mode)を可能にするためによりおおくのリソースが必要になる。
【０００４】
第２に、多くの新規ユーザがさらに音声通話を望む間にネットワークがデータ呼を供給すると、新規ユーザはＵＬおよびＤＬリソースの両方が利用可能でなければ、サービスを得ないだろう。したがって、あるＵＬリソースが無駄遣いされるかもしれない。一方で、呼出を待っている顧客が存在しサービスが行われず、他方ではＵＬが利用可能であるがペアにするＤＬの不足により無駄遣いされる。
【０００５】
第３に、近くのセルをスキャンしそれらを監視するためのマルチタイムスロットモードにおいて動作するＵＥのための時間が少なく、呼出の低下および性能の問題を引き起こすかもしれない。
【０００６】
図１は、無線通信システムにおける送信機１１８および受信機１５０のブロック図を示す。ダウンリンクについては、送信機１１８は基地局の一部であり、受信機１５０は無線装置（遠隔局）の一部であってもよい。アップリンクについては、送信機１１８は無線装置の一部であり、受信機１５０は基地局の一部であってもよい。基地局は、無線装置と通信しノードＢ、発展ノードＢ（ｅＮｏｄｅＢ）、アクセスポイント、等と称される一般に固定局である。無線装置は静止しているかもしれずあるいは移動可能かもしれず、移動局、ユーザ設備、移動設備、ターミナル、遠隔ターミナル、アクセスターミナル、局、遠隔局、等と称されるかもしれない。無線装置は、携帯電話、携帯情報端末（ＰＤＡ）、無線モデム、無線通信装置、ハンドヘルド装置、加入者ユニット、ラップトップコンピュータ、等かもしれない。
【０００７】
送信機１１８では、送信（ＴＸ）データプロセッサ１２０はデータを受信して処理し、符号化データを提供する。変調器１３０は符号化データを変調し、変調された信号を提供する。変調器１３０は、ＧＳＭのためのガウス最小偏移変調（ＧＭＳＫ）、グローバル進化型高速データレート（ＥＤＧＥ）のための８位相偏移変調（８−ＰＳＫ）、等を行ってもよい。ＧＭＳＫは、連続相変調プロトコルであるのに対し、８−ＰＳＫはデジタル変調プロトコルである。送信機ユニット（ＴＭＴＲ）１３２は、変調された信号に条件付けて（例えば、フィルタし、増幅し、そしてアップコンバートし）ＲＦ変調信号を生成し、それはアンテナ１３４を介して送信される。
【０００８】
受信機１５０では、アンテナ１５２はＲＦ変調信号を送信機１１０および他の送信機から受信する。アンテナ１５２は、受信されたＲＦ信号を受信機ユニット（ＲＣＶＲ）１５４へ供給する。受信機ユニット１５４は受信したＲＦ信号に条件付けて（例えば、フィルタし、増幅し、そして、ダウンコンバートし）条件付けられた信号をデジタル化し、サンプルを提供する。復調器１６０はサンプルを後述のように処理し、復調データを提供する。受信（ＲＸ）データプロセッサ１７０は、復調データを処理し（例えば、デインターリーブし、デコードし）復号データを提供する。一般に、復調器１６０およびＲＸデータプロセッサ１７０により処理は、送信機１１０で、変調器１３０およびＴＸデータプロセッサ１２０のそれぞれによる処理に対して補完的である。
【０００９】
コントローラ／プロセッサ１４０、１８０は、送信機１１８および受信機１５０のそれぞれにおいて動作を導く。メモリ１４２、１８２は、コンピュータソフトウェアの形式でプログラムコードと、送信機１１８および受信機１５０のそれぞれによって用いられるデータと、を蓄積する。
【００１０】
図２は、図１の受信機ユニット１５４および受信機１５０での復調器１６０の設計のブロック図を示す。受信機ユニット１５４内で、受信チェーン４４０はＲＦ信号を受信し、IbbおよびQbb受信チェーン４４０と称され、低ノイズ増幅、アナログフィルタリング、直角位相ダウンコンバージョン、等を行うＩおよびＱベースバンド信号を提供する。アナログ／デジタル変換器（ＡＤＣ）４４２は、フェードのサンプリングレートでＩおよびＱベースバンド信号をデジタル化しＩおよびＱサンプルを提供し、それはIadcおよびＱａｄｃと称される。一般に、ＡＤＣサンプリングレートfadcは任意の整数あるいは非整数因数により記号レートfsymと関連してもよい。
【００１１】
復調器１６０内で、プリプロセッサ４２０はＡＤＣ４４２からのＩおよびＱサンプルの前処理を行う。例えば、プリプロセッサ４２０は直流（ＤＣ）オフセットを削除、周波数オフセット等を削除してもよい。インプットフィルタ４２２は、特定の周波数応答に基づいてプリプロセッサ４２０からのサンプルをフィルタし、IinおよびQinと表示される入力IおよびQサンプルを提供する。フィルタ４２２はIおよびQサンプルをフィルタし、ジャマーのみならずADC４４２によるサンプリングからのイメージ結果を抑制する。フィルタ４２２は例えば２４Xオーバサンプリングから２Xオーバサンプリングへ下げて、サンプルレート変換行う。データフィルタ４２４は、入力フィルタ４２４からの入力IおよびQサンプルを別の周波数応答に基づいてフィルタし、IoutおよびQoutと表示される出力IおよびQサンプルを提供する。フィルタ４２２および４２４は有限インパルス応答（FIR）フィルタ、無限インパルス応答（IIR）フィルタ、あるいは他のタイプのフィルタを用いて実行される。フィルタ４２２および４２４の周波数応答は良好なパフォーマンスを果たすために選択されてもよい。ある１つの設計において、フィルタ４２２の周波数応答は固定され、フィルタ４２４の周波数応答は変更可能である。
【００１２】
隣接チャネルインタフェース（ACI）検出器４３０は入力IおよびQサンプルをフィルタ４２２から受信し、受信されたRF信号においてACIとして検出し、フィルタ４２４へACIインジケータを提供する。ACIインジケータはACIが存在するか否か、存在する場合、ACIは＋２００KHzを中心とした高いRFチャネルおよび／又は−２００KHzを中心とした低いRFチャネルを与えられるものであるか否かを表示する。フィルタ４２４の周波数応答はACIインジケータに基づいて調整され、以下に述べるように、良好なパフォーマンスを果たす。
【００１３】
イコライザ／検出器４２６は出力IおよびQサンプルをフィルタ４２４から受信し、均一化、マッチフィルタリング、検出、および／又は他の処理をこれらサンプルに行う。例えば、エコライザ／検波器４２６は、IおよびQのサンプルとチャネル推定との列を与えられた、送信された可能性が最もありそうな記号の列を決定する最大尤推定法列推定機（ＭＬＳＥ）をインプリメントしてもよい。
【００１４】
携帯通信のためのグローバルシステム（GSM）は携帯、無線通信における普及した規格である。GSMは、スペクトル源の共有のために、時分割多元接続（TDMA）および周波数分割多元接続（FDMA）を採用している。GSMネットワークは典型的にいくつかの周波数帯域において動作する。例えば、アップリンク通信について、GSM−９００は８９０−９１５MHz帯域（基地局への移動局）において一般にラジオスペクトルを使用する。ダウンリンク通信について、GSM９００は９３５−９６０MHZ帯域（移動局への基地局）を使用する。さらに、周波数帯はそれぞれ、２００ｋＨｚで一定間隔で配置された１２４ＲＦチャネルを提供する２００ｋＨｚのキャリア周波数に分割される。GSM−１９００はアップリンクについて１８５０−１９１０MHzキャリア周波数を、ダウンリンクについて１９３０−１９９０MHzを使用する。GSM−９００のように、FDMAはアップリンクとダウンリンクとの両方についてGSM-１９００スペクトルを２００ｋHz幅キャリア周波数に分割するために動作する。同様に、GSM-850はアップリンクについて８２４−８４９MHｚ帯域を、ダウンリンクについて８６９−８９４MHｚ帯域を使用し、GSM-1800はアップリンクについて１７１０−１７８５MHｚ帯域を、ダウンリンクについて１８０５−１８８０MHｚ帯域を使用する。
【００１５】
ＧＳＭにおける各チャネル、絶対無線周波数チャネル番号（ARFCN）によって識別された特定の無線周波数チャネルによって識別される。例えば、ARFCNs１−１２４はGSM900のチャネルへ割り当てられ、ARFCNs５１２−８１０はGSM1900のチャネルへ割り当てられる。同様に、ARFCNs１２８−２５１はGSM850のチャネルへ割り当てられ、ARFCNs５１２−８８５はGSM1800のチャネルへ割り当てられる。また、各基地局は１又は複数のキャリア周波数を割り当てられる。各キャリア周波数は８つの連続タイムスロットが４．６１５ｍｓの期間の１つのTDMAフレームを形成するようにTDMAを使用する（タイムスロット０〜７としてなずけられた）８つのタイムスロットへ分割される。物理チャネルはTDMAフレーム内で１つのタイムスロットを占める。各アクティブ無線装置／ユーザは呼び出し期間の間１又は複数のタイムスロット指標を割り当てられる。各無線装置のユーザ特定データは無線装置へ割り当てられたタイムスロット内で、および、トラフィックチャネルにしようされるTDMAフレーム内で送られる。
【００１６】
フレーム内で各タイムスロットはGSM内のデータの「バースト」の送信のために用いられる。しばしば、タイムスロットとバーストとの用語は交換して用いられてもよい。各バーストは２つの末尾フィールド、２つのデータフィールド、トレーニングシーケンス（あるいはミッドアンブル（midamble））フィールド、および、保護期間（GP）を含む。各フィールド内のシンボルの数は括弧内に示される。バーストは末尾、データ、および、ミッドアンブルフィールドとして１４８シンボルを含む。特定のキャリア周波数のTDMAフレームはマルチフレームと呼ばれる２６あるいは５１TDMAフレームのグループにおいて形成され、番号付けられる。
【００１７】
図３はGSMにおけるバーストフォーマットとフレーム例を示す。送信のタイムラインはマルチフレームに分割される。トラフィックチャネルがユーザ特定データの送信に用いられる間、この例における各マルチフレームは２６TDMAフレームを含み、TDMAフレーム０〜２５として名づけられる。トラフィックチャネルは、各、マルチフレームのTDMAフレーム１３〜２４およびTDMAフレーム０〜１１において送られる。コントロールチャネルはTDMAフレーム１２において送られる。アイドルTDMAフレーム２５においてデータは送られず、無線装置により隣接基地局の測定のために用いられる。
【００１８】
図４はGSMシステムにおけるスペクトルの例を示す。この例において、５つのRF変調信号は２００KHｚごとに別々に配置された５つのチャネル上で送信される。関心事のＲＦチャンネルは０Ｈｚの中心周波数で示される。２つの隣接したＲＦチャネルは、望ましいＲＦチャネルの中心周波数から＋２００ＫＨｚおよび−２００ＫＨｚである中心周波数を有している。次の２つの最も近いＲＦチャンネル（それらはブロッカーあるいは隣接していないＲＦチャンネルと呼ばれる）は望ましいRFチャネルの中心周波数から＋４００のＫＨｚおよび−４００KHｚである中心周波数を有している。スペクトルにおいて他のＲＦチャンネルがあってもよく、それは簡単のため図３に示されない。ＧＳＭでは、ＲＦ変調信号はｆsym＝１３０００／４０＝２７０．８キロシンボル/秒 (Ksps)のシンボルレートで生成され、±１３５KHｚまでの−３ｄＢの帯域幅を持っている。図４に示されるように、隣接したＲＦチャンネルの上のＲＦ変調された信号はこのように端で互いに重複してもよい。
【００１９】
１つ以上の変調スキームが、音声、データおよび／又は制御情報のような情報を通信するＧＳＭにおいて使用される。変調スキームの例はＧＭＳＫ(Gaussian Minimum Shift Keying)、Mに関するQAM (Quadrature Amplitude Modulation)あるいはMに関するPSK (Phase Shift Keying)を含んでいてもよく、ここで、指定された変調スキームのシンボル期間内に符号化されたビット数であるｎでＭ＝２ｎである。ＧＭＳＫ、一定のエンベロープである、２７０．８３キロビット／秒（Ｋｂｐｓ）の最大割合で生の送信を許可する２進法の変調スキーム。
【００２０】
ＧＳＭは標準音声サービスに有効である。しかしながら、高い忠実度の音声およびデータサービスは、音声とデータサービスとの両方を転送する容量上の需要増のためにより高いデータ処理量レートを望む。容量を増加するために、汎用パケット無線サービス（ＧＰＲＳ）、ＥＤＧＥ(Enhanced Data rates for GSM Evolution)およびＵＭＴＳ(Universal Mobile Telecommunications System)基準は、ＧＳＭシステムに採用された。
【００２１】
汎用パケット無線サービス（ＧＰＲＳ）は非音声サービスである。それは、情報が移動体電話ネットワークに渡って受信されおよび送信されることを可能にする。それは回路切換データ（ＣＳＤ）およびショットメッセージサービス（ＳＭＳ）を補足する。ＧＰＲＳはＧＳＭと同じ変調スキームを採用する。ＧＰＲＳは、全フレーム（８つのタイムスロットすべて）が一つの移動局によって同時に使用されることを可能にする。したがって、より高いデータ処理量レートは達成可能である。
【００２２】
ＥＤＧＥ規格はＧＭＳＫ変調および８−ＰＳＫ変調との両方を使用する。さらに、変調タイプはバーストからバーストへ変更することができる。ＥＤＧＥの中の８−ＰＳＫ変調は線形であって３π／８回転を備えた８レベル位相変調であって、その一方でＧＭＳＫは非線形の、ガウスパルス形周波数変調である。しかしながら、ＧＳＭで使用される特定のＧＭＳＫ変調は、線形変調（つまりπ／２回転を備えた２レベルの位相変調）で近似され得る。近似されたＧＭＳＫのシンボルパルスおよび８−ＰＳＫのシンボルパルスは同一である。
【００２３】
ＧＳＭ／ＥＤＧＥにおいて、周波数バースト（FB）は基地局（BS）により規則的に送信され、周波数オフセット推定および補正を使用して、移動局（MS）がそれらのローカルオシレータ（LO）を同期することを可能にする。これらのバーストは単一のトーンを含み、それはすべての「０」のペイロードおよびトレーニングシーケンスに一致する。その、周波数バーストの全てゼロのペイロードは、すべて一定周波数信号、あるいは、単一のトーンのバーストである。パワーオンまたはキャンプ・オンモードであるとき、あるいは、最初にネットワークにアクセスしたとき、遠隔局はキャリアのリストから周波数バーストを連続的に捜す。
【００２４】
周波数バーストを検知する際、遠隔局はキャリアから６７．７ＫＨｚであるその公称周波数に関連のある周波数オフセットを評価するだろう。遠隔局ＬＯはこの評価された周波数オフセットを使用して修正されるだろう。パワーオンモードにおいて、周波数オフセットは＋／−１９ＫＨｚと同じくらいでありえる。遠隔局は待機モードにおいて、周期的に立ち上がって、その同期を維持する周波数バーストを監視する。待機モードでは、周波数オフセットが±２ＫＨｚ内である。
【００２５】
現代の移動体携帯電話は従来の音声通話およびデータ呼出を提供することができる。呼出の両方のタイプの需要は、ネットワーク容量に増加する要求を配置し、増加し続ける。ネットワークオペレータはそれらの容量を増加させることによりこの需要をアドレス指定する。これは、例えばより多くの基地局を分割するか加えることにより達成され、従ってより多くの基地局を追加し、それはハードウェアコストを増加させる。過度にハードウェアコストを増加させずに、特に、小さな地域に位置した多くのユーザあるいは加入者が一度にネットワークにアクセスしたい、国際的なフットボール試合や主なフェスティバルのような主なイベントの間で異常な大きなピーク需要に対処することが望ましい。
【００２６】
第１遠隔局が通信のためのチャネル（チャネル周波数とタイムスロットを含むチャネル）を割り付けられる場合、第２遠隔局は、第１遠隔局がチャネルを使用し終えた後に割り付けられたチャネルだけを使用することができる。割り付けられたチャネル周波数の全てがセルにおいて使用され、使用可能タイムスロットが全て使用されあるいは割り付けられている場合、最大のセル容量に達する。これは、どんな付加的な遠隔局ユーザもサービスを受けることができないことを意味する。実際には、（チャネル周波数およびタイムスロットの８０％のような）高容量ローディングおよび高周波数再利用により導入されるパタン共同チャネル干渉（ＣＣＩ）および隣接チャネル干渉（ＡＣＩ）により別の容量制限が存在する。
【００２７】
ネットワークオペレータは、多くの方法で容量を増加させ、それらのすべては追加リソースおよび付加コストを要求する。例えば、１つのアプローチは、セクタされたあるいは指向性アンテナアレーの使用により、セルをセクタに分割することである。セクタはそれぞれセル内の遠隔局の部分集合に通信を供給することができ、異なるセクタの遠隔局間の干渉はセルがセクタに分割されず、遠隔局がすべて同じセルにあった場合より少ない。
【００２８】
別のアプローチはセルをより小さなセルに分割することであって、新しいより小さなセルのそれぞれは基地局を有する。これらのアプローチの両方は追加ネットワーク装置により実行することが高価である。加えて、セルを追加することあるいはセルを様々なより小さなセルに分割することは、セルの間の距離が縮小されるので近隣のセルからのより多くのＣＣＩおよびＡＣＩ干渉を受ける１つのセル内の遠隔局に帰着し得る。
【００２９】
別のアプローチは、同じセルにおいて基地局により２つのＭＳのために同じＴＳを使用することである。
【発明の概要】
【００３０】
同じチャネル上で２つの信号を送信するための装置および方法は添付した特許請求の範囲において定義されている。
【００３１】
さらに、本願の方法および装置の適用範囲は後続の詳細な説明、特許請求の範囲、および、図面から明白になるだろう。しかしながら、発明の好ましい実施形態を示す特定の例および詳細な説明は例示として提供されたのみであって、発明の範囲においてさまざまな変更および改良は当業者にとって明白になるだろうと理解されるべきである。
【図面の簡単な説明】
【００３２】
【図１】図１は受信器および送信器のブロック図を示す。
【図２】図２は復調器および受信器ユニットのブロック図を示す。
【図３】図３はＧＳＭにおけるバーストフォーマットおよびフレームの例を示す。
【図４】図４はＧＳＭシステムにおけるスペクトルの例を示す。
【図５】図５は携帯電話通信システムの簡略化した表示である。
【図６】図６は携帯電話システムの一部であるセルの配置を示す。
【図７】図７は、時分割多重（ＴＤＭＡ）通信システムのタイムスロットの配置例を示す。
【図８Ａ】図８Ａは単一チャネルを共有する第１および第２信号を提供するための多重アクセス通信システムにおける動作のための装置を示す。
【図８Ｂ】図８Ｂは単一チャネルを共有するとともに第１および第２変調信号を合成するコンバイナを用いる第１および第２信号を提供する多重アクセス通信システムにおける動作のための装置を示す。
【図９】添付する図の図９は添付する図面の図８、１０、あるいは１１のいずれかに示された装置を用いる方法を開示するフローチャートである。
【図１０Ａ】図１０Ａは図９により記述された方法が基地局コントローラに属する実施形態の例を示す。
【図１０Ｂ】図１０Ｂは図１０Ａの基地局コントローラにより実行されるステップを開示するフローチャートである。
【図１１】図１１は基地局における信号の流れを説明する態様における基地局を示す。
【図１２】図１２は携帯電話通信システムの基地局コントローラ（ＢＳＣ）に属し得るメモリサブシステム内のデータ記憶の配置例を示す。
【図１３】図１３は本願の方法および装置のＤＡＲＰを有する遠隔局のための受信器構造の例を示す。
【図１４】図１４は２つの遠隔局に同じチャネルを割り当てることに適用したＧＳＭシステムの一部を示す。
【図１５】図１５は本願の方法および装置の相補トレーニングシーケンスを用いる際に実行されるステップを開示するフローチャートを示す。
【図１６】図１６は本願発明の装置において開示された方法を実行し得るメモリに記録されたソフトウェアを持つ基地局を示す。
【図１７】図１７はＴＳＣのＱＣＯＭ7セットのトレーニングシーケンスでレガシートレーニングシーケンスをペアリングする際、１％ＦＥＲのテスト結果の概要を含む。
【図１８】図１８はＱＣＯＭ8  ＴＣＳでレガシーＴＳＣをペアリングする際、１％ＦＥＲのテスト結果の概要を含む。
【図１９】図１９はレガシーＴＳＣ0でＱＣＯＭ7  ＴＳＣ0をペアリングする際のパフォーマンスプロットである。
【図２０】図２０はレガシーＴＳＣ1でＱＣＯＭ7  ＴＳＣ1をペアリングする際のパフォーマンスプロットである。
【図２１】図２１はレガシーＴＳＣ2でＱＣＯＭ7  ＴＳＣ2をペアリングする際のパフォーマンスプロットである。
【図２２】図２２はレガシーＴＳＣ3でＱＣＯＭ7  ＴＳＣ3をペアリングする際のパフォーマンスプロットである。
【図２３】図２３はレガシーＴＳＣ4でＱＣＯＭ7  ＴＳＣ4をペアリングする際のパフォーマンスプロットである。
【図２４】図２４はレガシーＴＳＣ5でＱＣＯＭ7  ＴＳＣ5をペアリングする際のパフォーマンスプロットである。
【図２５】図２５はレガシーＴＳＣ6でＱＣＯＭ7  ＴＳＣ6をペアリングする際のパフォーマンスプロットである。
【図２６】図２６はレガシーＴＳＣ7でＱＣＯＭ7  ＴＳＣ7をペアリングする際のパフォーマンスプロットである。
【図２７】図２７はレガシーＴＳＣ0でＱＣＯＭ8  ＴＳＣ0をペアリングする際のパフォーマンスプロットである。
【図２８】図２８はレガシーＴＳＣ1でＱＣＯＭ8  ＴＳＣ1をペアリングする際のパフォーマンスプロットである。
【図２９】図２９はレガシーＴＳＣ2でＱＣＯＭ8  ＴＳＣ2をペアリングする際のパフォーマンスプロットである。
【図３０】図３０はレガシーＴＳＣ3でＱＣＯＭ8  ＴＳＣ3をペアリングする際のパフォーマンスプロットである。
【図３１】図３１はレガシーＴＳＣ4でＱＣＯＭ8  ＴＳＣ4をペアリングする際のパフォーマンスプロットである。
【図３２】図３２はレガシーＴＳＣ5でＱＣＯＭ8  ＴＳＣ5をペアリングする際のパフォーマンスプロットである。
【図３３】図３３はレガシーＴＳＣ6でＱＣＯＭ8  ＴＳＣ6をペアリングする際のパフォーマンスプロットである。
【図３４】図３４はレガシーＴＳＣ7でＱＣＯＭ8  ＴＳＣ7をペアリングする際のパフォーマンスプロットである。
【図３５】図３５は単一周波数および単一タイムスロットを備える単一チャネル上で２つの信号を送信する方法を示すフローチャートである。
【図３６】図３６は遠隔局へトレーニングシーケンス情報を信号で送るステップを備えるフローチャートである。
【詳細な説明】
【００３３】
添付された図面に関して下に述べられた詳細な記述は、本発明の典型的な実施例の記述として意図され、本発明が実行することができるただ一つの実施例を表わすようには意図されない。詳細な記述は、本発明についての十分な理解を提供する目的で具体的な詳細を含んでいる。しかしながら、本発明がこれらの具体的な詳細以外で実行されてもよいことは当業者に明白だろう。いくつかの場合では、よく知られた構成および装置は本発明の概念を不明瞭にしないようにするためにブロック図の形で示される。
【００３４】
他のユーザによる干渉は、ワイヤレスネットワークの性能を制限する。この干渉は、上述のＣＣＩとして知られる同じ周波数上の近隣のセルからの干渉、あるいは、同じく上述のＡＣＩとして知られる同じセル上での近隣の周波数からの干渉のいずれかの形をとり得る。
【００３５】
単一アンテナ干渉除去（ＳＡＩＣ）は共通チャネル干渉（ＣＣＩ）を縮小するために使用され、３Ｇパートナーシッププロジェクト（３ＧＰＰ）はＳＡＩＣ性能を標準化した。ＳＡＩＣは干渉と対抗するために使用される方法である。３ＧＰＰは、向上された干渉除去能力を達成するためにＳＡＩＣを適用する受信器を記述するために、用語をダウンリンク先進受信器パフォーマンス（ＤＡＲＰ）へ採用した。
【００３６】
ＤＡＲＰはより低い再使用要因の使用によるネットワーク容量を増加する。更に、それは干渉を同時に抑える。ＤＡＲＰは、遠隔局の受信器のベースバンド部で作動する。それは一般的なノイズと異なる共通チャネルと隣接チャネルとの干渉とを抑える。ＤＡＲＰはリリースインディペンデントフューチャとして以前に定義されたＧＳＭ規格（２００４年のＲｅｌ-６より）において利用可能で、Ｒｅｌ−６以降の仕様書の不可欠な一部である。下記は２つのＤＡＲＰ方法の記述である。第１は結合検波／復調（ＪＤ）方法である。ＪＤは、希望信号に加えていくつかの干渉信号のうちの１つを復調するために、同期移動通信ネットワークにおいて隣接セルの中でＧＳＭ信号構造の知識を使用する。干渉信号を検索するＪＤの能力は、特定の隣接チャネル干渉の抑制を許可する。ＧＭＳＫ信号の復調に加えて、さらにＪＤはＥＤＧＥ信号を復調するために使用することができる。ブラインド干渉キャンセル（ＢＩＣ）はＧＭＳＫ信号を復調するためにＤＡＲＰにおいて使用される別の方法である。ＢＩＣとともに、受信機は、希望信号が受け取られるのと同時に受け取られ得るあらゆる干渉信号の構造についての知識を有していない。受信機が任意の隣接チャネル干渉に対して事実上「ブラインド」であるため、方法は干渉成分を全体として抑えることを試みる。ＧＭＳＫ信号はＢＩＣ法により求められるキャリアから復調される。ＧＭＳＫに変調された言語およびデータサービスに使用されたときＢＩＣは最も有効で、非同期ネットワークにおいて使用することができる。
【００３７】
現在の方法および装置のＤＡＲＰの有能な遠隔局イコライザ／検波器４２６は、さらに等化、検波などに先立ってＣＣＩキャンセルを行なう。図２におけるイコライザ／検波器４２６は復調データを提供する。ＣＣＩキャンセルは、ＢＳで通常利用可能である。さらに、遠隔局は有能なＤＡＲＰであっても、なくてもよい。ネットワークは、ＧＳＭ遠隔局（例えば移動局）のための、リソース割当段階における呼出の開始点で有能なＤＡＲＰかどうか判断してもよい。
【００３８】
基地局によって扱うことができる遠隔局へのアクティブ接続の数を増加させることは望ましい。添付の図面の図５は、移動体通信システム１００の単純化された表現を示す。システムは基地局１１０、１１１、および１１４と、遠隔局１２３、１２４、１２５、１２６および１２７とを備える。基地局コントローラ１４１〜１４４は、移動体交換局１５１および１５２の制御の下で異なる遠隔局１２３〜１２７へおよび遠隔局１２３〜１２７からのルート信号に作用する。移動体交換局１５１、１５２は公衆交換電話ネットワーク（ＰＳＴＮ）１６２に接続される。遠隔局１２３〜１２７は、一般に携帯型のモバイル装置であるが、データを扱うことが可能な多くの固定無線装置および無線装置も遠隔局１２３〜１２７の一般的なタイトルの範囲に含まれる。
【００３９】
信号伝送、例えば音声データは、移動体交換局１５１、１５２の制御の下で基地局コントローラ１４１〜１４４によって別の遠隔局１２３〜１２７と遠隔局１２３〜１２７とそれぞれの間で転送される。あるいは、信号伝送、例えば音声データは、公衆交換電話ネットワーク１６２を介して他の通信ネットワークの通信機器と遠隔局１２３〜１２７とのそれぞれの間で転送される。他の通信システムと移動体携帯システムとの間で呼出を道付けることを可能とする。他のそのようなシステムは異なるタイプおよび異なる規格に一致する他の移動体携帯通信システム１００を含む。
【００４０】
遠隔局１２３〜１２７それぞれは、多くの基地局１１０、１１１、１１４のうちの任意の１つによってサービスされ得る。遠隔局１２４は、上位の基地局１１４により送信される信号と、近くの上位でない基地局１１０、１１１により送信され他の遠隔局１２５に提供しようとする信号との両方を受信する。
【００４１】
基地局１１０、１１１、１１４からの異なる信号の強さは、遠隔局１２４によって周期的に測定され、ＢＳＣ１４４、１１４などへ伝えられる。近くの基地局１１０および１１１からの信号が上位の基地局１１４のそれより強くなる場合、移動体交換局１５２は近くの基地局１１０を上位の基地局とするために作用し、上位の基地局１１４を上位でない基地局とするために作用し、近くの基地局１１０へ信号をハンドオーバする。ハンドオーバは、データセッションあるいは進行中の呼出をコアネットワークに接続されたチャネルから別のものへ転送する方法を指す。
【００４２】
携帯移動体通信システムでは、無線リソースは多くのチャネルに分割される。アクティブ接続（例えば音声通話）はそれぞれ、（遠隔局１２３〜１２７へ基地局１１０、１１１、１１４によって送信され、遠隔局１２３〜１２７によって受信された）ダウンリンク信号用の特定チャネル周波数を有する特定チャネル、および（基地局１１０、１１１、１１４へ遠隔局１２３〜１２７によって送信され、基地局１１０、１１１、１１４によって受信された）アップリンク信号用の特定チャネル周波数を有するチャネルを割り付けられる。ダウンリンクとアップリンク信号用の周波数は同時送受信を可能とし、遠隔局１２３〜１２７あるいは基地局１１０、１１１、１１４で送信された信号と受信された信号との間の干渉を縮小するために多くの場合異なる。
【００４３】
多くのユーザへのアクセスを提供する移動体システムの方法は周波数再使用である。添付の図面の図６は、周波数再使用を使用する移動体通信システムでセルの配置を示す。この特定の例は、４：１２の再使用要因を有し、それは４つのセル：１２の周波数を表す。それは、基地局に利用可能な１２の周波数が図６に例証されたＡ〜Dと名付けられた基地局の４つのサイトに割り付けられることを意味する。サイトはそれぞれ３つのセクタ（あるいはセル）に分割される。別の方法を述べると、１つの周波数は４つのサイトそれぞれの３つのセクタのそれぞれに割り付けられ、１２のセクタ（４つのサイトについて３セクタ／１サイト）のすべてが異なる周波数を持つ。周波数再使用パタンは４番目のセルの後に繰り返す。図６は、基地局１１０がセルＡに属し、基地局１１４はセルＢに属し、基地局１１１はセルＣに属する等による、システムのセル繰り返しパタン２１０を示す。基地局１１０には隣接基地局１１１および１１４の隣接したサービスエリア２３０および２４０でそれぞれオーバーラップするサービスエリア２２０がある。遠隔局１２４、１２５は、自由にサービスエリア間を移動することができる。上述のように、セル間の信号の干渉を縮小するために、周波数がそれぞれ１つ以上のチャネルをサポートしてもよいところで、セルはそれぞれ１セットのチャネル周波数を割り付けられ、隣接セルが異なるセットのチャネル周波数を割り付けられる。しかしながら、隣接しない２つのセルは、周波数の同じセットを使用してもよい。基地局１１０は、そのサービスエリア２２０において遠隔局１２５と通信するための周波数ｆ１、ｆ２およびｆ３を含む周波数割り付けセットＡを例えば使用することができた。同様に、基地局１１４は、そのサービスエリア２４０において遠隔局１２４と通信するための周波数ｆ４、ｆ５およびｆ６を含む周波数割り付けセットＢを例えば使用することができた、など。太線境界２５０によって定義されたエリアは１つの４サイト繰り返しパタンを含んでいる。繰り返しパタンは、通信システム１００によってサービスされた地理的エリアのための規則配列で繰り返す。現在の例は４サイトの後に繰り返すが、繰り返しパタンに４以外の多くのサイト、および１２以外の周波数の合計数があってもよいことが認識され得る。
【００４４】
ＧＳＭで上に述べられるように、キャリア周波数はそれぞれＴＤＭＡを使用して分割される。ＴＤＭＡは増加した容量の提供を対象とする多元接続技術である。ＴＤＭＡを使用して、キャリア周波数はそれぞれフレームと呼ばれる間隔に分けられる。フレームはそれぞれ、割り当て可能なユーザタイムスロットへさらに分割される。ＧＳＭでは、フレームは８つのタイムスロットへ分割される。したがって、連続８つのタイムスロットが、４．６１５ｍｓの間で１つのＴＤＭＡフレームを形成する。
【００４５】
物理チャネルは、特定の周波数上で各フレーム内の１タイムスロットを占める。特定のキャリア周波数のＴＤＭＡフレームは番号付けられ、各フレーム内で１以上のタイムスロットを割り当てる各ユーザである。さらに、フレーム構成は繰り返し、その結果、固定ＴＤＭＡ割当ては、各時間フレーム中に周期的に現われる１つ以上のスロットを構成する。したがって、各基地局は１つのチャネル周波数内の異なる割り当てられたタイムスロットを使用して、複数個の遠隔局１２３〜１２７で通信することができる。上述のように、タイムスロットは周期的に繰り返す。例えば、第１ユーザは周波数ｆ１の全てのフレームの第１スロット上で送信してもよく、その一方で、第２ユーザは周波数ｆ２の全てのフレームの第２スロット上で送信してもよい。各ダウンリンクタイムスロットの間、遠隔局１２３〜１２７はアクセスされて基地局１１０、１１１、１１４により送信された信号を受信し、各アップリンクタイムスロットの間、基地局１１０、１１１、１１４はアクセスされて遠隔局１２３〜１２７により送信された信号を受信する。遠隔局１２３〜１２７への通信用チャネルは、このように、ＧＳＭシステムのために、周波数とタイムスロットとの両方を備えている。同様に、基地局１１０、１１１、１１４への通信用チャネルは、周波数とタイムスロットとの両方を備える。
【００４６】
図７は、時分割多元接続（ＴＤＭＡ）通信システムのタイムスロットの配置例を示す。基地局１１４は番号付けられたタイムスロット３０、遠隔局１２３〜１２７の１セットのみのための各信号、および、送信信号の範囲内で全ての遠隔局１２３〜１２７のアンテナで受信された各信号のシーケンス内でデータ信号を送信する。基地局１１４は、割り付けられたチャネル周波数上でスロットを使用して、全ての信号を送信する。例えば、第１遠隔局１２４は第１タイムスロット３を割り付けられ、第２遠隔局１２６は第２タイムスロット５を割り付けられてもよい。基地局１１４は、この例において、タイムスロット３の間に第１遠隔局１２４へ信号を送信し、複数のタイムスロット３０のシーケンスのタイムスロット５の間に第２遠隔局１２６へ信号を送信する。
【００４７】
第１および第２遠隔局１２４、１２６は、タイムスロットシーケンス３０のそれらに対応するタイムスロット３および５の間アクティブであり、基地局１１４から信号を受信する。遠隔局１２４、１２６は、アップリンク上でタイムスロットシーケンス３１の対応するタイムスロット３および５の間に基地局１１４へ信号を送信する。送信する基地局１１４（および受信する遠隔局１２４、１２６）の複数のタイムスロット３０は、送信する遠隔局１２４、１２６（および受信する基地局１１４）の複数のタイムスロット３１に対して時間においてオフセットされることが理解されるだろう。
【００４８】
送信および受信タイムスロットの時間におけるこのオフセットは、時分割二重化（ＴＤＤ）として知られ、それは例えば、送信および受信動作が時間の異なる場合に生じることを可能とする。
【００４９】
音声データ信号は、基地局１１０、１１１、１１４および遠隔局１２３〜１２７の間に送信される一つの信号ではない。制御チャネルは、基地局１１０、１１１、１１４および遠隔局１２３〜１２７の間の通信の種々態様を制御するデータを送信するために用いられる。
【００５０】
例えば、基地局１１０、１１１、１１４は、遠隔局１２３〜１２７へシーケンスコードを送る制御チャネル、あるいは、基地局１１０、１１１、１１４が遠隔局１２３〜１２７へ信号を送信するために用いる１セットのシーケンスのどれを使用するかを示すトレーニングシーケンスコード（ＴＳＣ）を使用する。ＧＳＭでは、２６ビットのトレーニングシーケンスは等化に用いられる。これは、すべてのタイムスロットバーストの真中の信号において送信される既知のシーケンスである。
【００５１】
シーケンスは遠隔局１２３〜１２７により用いられ、時間に応じて速く変化するチャネル低下を補い、他のセクタあるいはセルからの干渉を縮小し、受信信号に遠隔局の受信器を同期させる。これらの作用は、遠隔局１２３〜１２７の受信器の一部であるイコライザにより行われる。イコライザ４２６は既知の送信トレーニングシーケンスがマルチパスフェーディングによりどのように変更されるか決定する。イコライザはこの情報を用いて、望ましい信号の残りを抽出するための逆フィルタを構築することにより望まれない反転から望ましい信号を抽出してもよい。異なるシーケンス（および関連するシーケンスコード）は異なる基地局１１０、１１１、１１４により送信され、互いに接近している基地局１１０、１１１、１１４により送信されたシーケンス間の干渉を縮小する。
【００５２】
上述のように、ＤＡＲＰで、現在の方法および装置の遠隔局１２３〜１２７は、シーケンスを用いて他のセルの上位でない基地局１１０、１１１、１１４により送信された他の望まれない信号から、遠隔局１２３〜１２７に提供する基地局１１０、１１１、１１４によりそれへ送信された信号を識別する。これは求められない信号のパワーレベルおよび受信された振幅が求められた信号の振幅に関する閾値を下回る限り、真である。
【００５３】
それらがこの閾値を超える振幅を有している場合、求められない信号は、求められる信号への干渉を引き起こす可能性がある。さらに、閾値は、遠隔局１２３〜１２７の受信器の能力によって変化する可能性がある。例えば上位のあるいは上位でない基地局１１０、１１１、１１４からの信号が送信のために同じタイムスロットを共有する場合、干渉信号および望まれた（求められた）信号は遠隔局１２３〜１２７の受信器に同時に到着する可能性がある。
【００５４】
図５を再び参照すると、遠隔局１２４では、遠隔局１２５への基地局１１０からの送信は、遠隔局１２４への基地局１１４からの送信（破線矢印１７０によって示された干渉信号の経路）と干渉する可能性がある。同様に、
遠隔局１２５では基地局１１４から遠隔局１２４への送信は基地局１１０から遠隔局１２５への送信（点線矢印１８２により示された干渉信号の経路）と干渉する可能性がある。
【表１】
0005431481.tif 000002
【００５５】
テーブル１
テーブル１は、図６において説明された２つの基地局１１０および１１４によって送信された信号用のパラメータの値の例を示す。テーブル１の列３および４の情報は、遠隔局１２４について、第１基地局１１４からの求められた信号と遠隔局１２５について表された第２基地局１１０からの求められていない干渉信号との両方が受信され、２つの受信信号が同じチャネルと同様のパワーレベル（それぞれ−８２ｄＢｍと−８１ｄＢｍと）を有することを示している。
【００５６】
同様に、列６および７における情報は、遠隔局１２５について、基地局１１０からの求められた信号と遠隔局１２４について表された第１基地局１１４からの求められない干渉信号との両方が受信され、２つの受信信号が同じチャネルおよび同様のパワーレベル（それぞれ−８０ｄＢｍおよび−７９ｄＢｍ）を有していることを示している。
【００５７】
遠隔局１２４および１２５それぞれは、同じチャネル（つまり同時に）上で、異なる基地局１１４、１１０からの同様のパワーレベルを有する、求められる信号および求められない干渉信号の両方をこのように受信する。２つの信号が同じチャネルおよび同様のパワーレベルに到達するため、それらは互いに干渉する。これは、求められる信号の復調および復号における誤りを引き起こすかもしれない。この干渉は上述の共同チャネル干渉である。
【００５８】
遠隔局１２３〜１２７、基地局１１０、１１１、１１４、および、基地局コントローラ１５１、１５２を使用可能としたＤＡＲＰの使用により、以前に可能であったより、共同チャネル干渉はより大きな程度まで緩和されてもよい。
【００５９】
基地局１１０、１１１、１１４が同様の電力段階を有する２つの共同チャネル信号を同時に受け取り復調し得る間、ＤＡＲＰ手段により、ＤＡＲＰは遠隔局１２３〜１２７が同様の能力を有することを可能とする。このＤＡＲＰ能力は、２つのアンテナ干渉除去（ＤＡＩＣ）として知られている方法の手段によりあるいは単一のアンテナ干渉除去（ＳＡＩＣ）として知られている方法の手段によりインプリメントされてもよい。
【００６０】
ＤＡＲＰ対応の遠隔局１２３〜１２７の受信機は、望まれない共同チャネル信号の振幅が望まれる信号の振幅より高いあるいは同様でる場合さえ、望まれない共同チャネル信号を拒絶する間に求められる信号を復調してもよい。受信さえた共同チャネル信号の振幅が同様である場合、ＤＡＲＰの特徴はよりよく表れる。異なる基地局１１０、１１１、１１４と各々通信する各々の２つの遠隔局１２３〜１２７は、各基地局１１０、１１１、１１４から各遠隔局１２３〜１２７への伝送損失が同様であるセル境界に近いとき、この状況が、まだ本方法および装置を使用しないＧＳＭのような現存システムに典型的には生じるだろう。
【００６１】
望まれない共同チャネル干渉信号が求められる信号の振幅より低い振幅あるいは電力レベルを有する場合、ＤＡＲＰ対応でない遠隔局１２７〜１２３は対照的に、単に求められる信号を復調してもよい。１例において、それは少なくとも８ｄＢによってより低いかもしれない。ＤＡＲＰ対応の遠隔局１２３〜１２７は、したがって、ＤＡＲＰ能力を持っていない遠隔局１２３〜１２７を許容するよりも、求められる信号に関連のある多くのより高い振幅共同チャネル信号を許容することができる。
【００６２】
共同チャネル干渉（ＣＣＩ）比は、ｄＢで表現された、求められたあるいは求められない信号の振幅、あるいは、電力レベル間の比である。１例において、共同チャネル干渉比が例えば−６ｄＢ（求められる信号の電力レベルは共同チャネル干渉（あるいは求められない）信号の電力レベルより６ｄＢ低い）であるかもしれない。別の例において、比は、＋６ｄＢ（求められる信号の電力レベルは共同チャネル干渉（あるいは求められない）信号の電力レベルより６ｄＢ高い）かもしれない。よいＤＡＲＰパフォーマンスを備えた本方法および装置のそれらの遠隔局１２３〜１２７のために、干渉信号の振幅は、求められる信号の振幅より１０ｄＢ高くなり得、遠隔局１２３〜１２７は求められる信号を処理してもよい。干渉信号の振幅が、求められる信号の振幅よりも１０ｄＢ高くなる場合、共同チャネル干渉比は−１０ｄＢである。
【００６３】
ＤＡＲＰ能力は、上述されたように、ＡＣＩまたはＣＣＩがある状態で遠隔局１２３〜１２７の信号受信を改善する。新規ユーザは、ＤＡＲＰ能力で、既存ユーザから来る干渉をよりよく拒絶するだろう。同じくＤＡＲＰ能力を持った既存ユーザは同じことをし、新規ユーザによって影響を受けないだろう。１例において、ＤＡＲＰは、０ｄＢ（信号への共同チャネル干渉の同じレベル）から−６ｄＢ（共同チャネルは望まれるあるいは求められる信号より６ｄＢ強い）の範囲中のＣＣＩとよく動作する。したがって、同じＡＲＦＣＮおよび同じタイムスロットを使用し、異なるＴＳＣを割り当てられた２ユーザはよいサービスを得るだろう。
【００６４】
ＤＡＲＰ特徴は２つの遠隔局１２４および１２５が、両方には可能なＤＡＲＰ特徴がある場合、各々に、２つの基地局１１０および１１４からの求められる信号、同様のパワーレベルを有する求められる信号、を受信できるようにし、各遠隔局１２４、１２５がその求められる信号を復調することを可能にする。このように、ＤＡＲＰ対応の遠隔局１２４、１２５は両方が同じチャネルをデータあるいは音声に同時に使用することができる。
【００６５】
２つの基地局１１０、１１１、１１４から２つの遠隔局１２３〜１２７への２つの同時呼をサポートするための、単一チャネルを使用することの上述された特徴は、多少そのアプリケーションで制限されている。
【００６６】
この特徴を使用するために、２つの遠隔局１２４、１２５は２つの基地局１１４、１１０の範囲内にあり、また各々同様の電力レベルで２つの信号を受信している。この条件については、典型的に、上に言及されるように、２つの遠隔局１２４、１２５がセル境界の近くにあるだろう。
【００６７】
本方法および装置は、同じチャネル（キャリア周波数上のタイムスロットから成る）上の２つ以上の同時呼のサポートを許可し、各呼は遠隔局１２３〜１２７により送信された信号および基地局１１０、１１１、１１４により送信された信号の手段により、単一基地局１１０、１１１、１１４と複数の遠隔局１２３〜１２７の１つとの間の通信を備える。本方法および装置は、ＤＡＲＰのための新しく創造性のあるアプリケーションを提供する。上で述べたように、ＤＡＲＰで、同じキャリア周波数上の同じタイムスロット上の２つの信号は、ＤＡＲＰが使用可能であった前に可能であったより、干渉の高いレベルで異なるトレーニングシーケンスを使用することにより識別されてもよい。遠隔局（つまり求められない信号）によって使用されていないＢＳ１１０、１１１、１１４からの信号が、干渉としてふるまうため、ＤＡＲＰはトレーニングシーケンスの使用によって望まれない信号をフィルタする／抑えるために作用する。
【００６８】
本方法および装置は、同じセルの２つ以上のトレーニングシーケンスの使用を許可する。先行技術において、トレーニングシーケンスの１つは、基地局１１０、１１１、１１４に割り当てられないものであって、少なくとも１つの移動局１２３〜１２７の受信器へ、１つのスロット（ＭＵＲＯＳ）上でマルチユーザの中で行うように干渉としてふるまうだろう。しかしながら、重要な差は、同じセルにおいて、移動局が別の移動局１２３〜１２７により求められるための求められない信号である。レガシーシステムでは、望まれない信号が、同じセルではなく別のセルの移動局１２３〜１２７への信号である。
【００６９】
本方法および装置によれば、両方のトレーニングシーケンス信号は同じ基地局１１０、１１１、１１４によって同じセルの中で同じキャリア周波数上で同じタイムスロットの中で使用されてもよい。セルの中で２つのトレーニングシーケンスを使用することができるので、２倍分のコミュニケーションチャンネルはセルの中で使用されてもよい。通常別の（非近隣）セルあるいはセクタからの干渉であるトレーニングシーケンスをとり、基地局１１０、１１１、１１４がその既に使用されたトレーニングシーケンスに加えそれを使用することを許可することにより、通信チャネルの数は２倍になる。
【００７０】
本方法および装置と共にしようされたとき、ＤＡＲＰは、従って、追加のユーザの要求を満たすためにＧＳＭネットワークが既に使用されている共同チャネル（つまり使用されているＡＲＦＣＮ）の使用を可能にする。１例において、ＡＲＦＣＮはそれぞれ、ハーフレート（ＨＲ）スピーチのための４およびフルレート（ＦＲ）スピーチのための２ユーザのために使用することができる。さらに、ＭＳが優れたＤＡＲＰ性能を有していれば、３あるいは４ユーザにでさえ要求を満たすことが可能である。同じタイムスロット上で同じＡＦＲＣＮを使用して、追加のユーザの要求を満たすために、ネットワークは、異なる位相シフトを使用して、同じキャリア上で追加のユーザのＲＦ信号を送信し、異なるＴＳＣを使用して、追加のユーザに同じトラフィックチャネル（使用されている同じタイムスロットおよびＡＲＦＣＮ）を割り当てる。バーストは、結果的に、ＴＳＣに対応するトレーニングシーケンスで変調される。ＤＡＲＰ能力のある遠隔局は求められるあるいは望まれる信号を検出してもよい。第１および第２ユーザがそうだったのと同じ方法で、第３および第４ユーザを加えることは可能である。
【００７１】
添付の図面の図８Ａは、多元接続通信システムで単一チャネルを共有する第１および第２信号を生成するために作動するための装置を示す。（第１および第２円各局１２３〜１２７への）第１データソース４０１および第２データソース４０２は、送信用の第１データ４２４および第２データ４２５を生成する。シーケンス発生器４０３は第１シーケンス４０４および第２シーケンス４０５を生成する。第１コンバイナ４０６は、第１シーケンス４０４と第１データ４２４とを結合して第１結合データ４０８を生成する第２コンバイナ４０７は、第２シーケンス４０５と第２データとを結合して第２結合データ４０９を生成する。
【００７２】
第１および第２結合データ４０８、４０９は、第１キャリア周波数４１１および第１タイムスロット４１２を使用して、第１および第２結合データ４０８、４０９の両方を変調するため、送信器変調器４１０へ入力される。この例において、キャリア周波数はオシレータ４２１により生成されてもよい。送信器変調器はＲＦフロントエンド４１５へ第１変調信号４１３および第２変調信号４１４を出力する。ＲＦフロントエンドは、ベースバンドからＲＦ（無線周波数）周波数へそれらをアップコンバータで変換することにより、第１および第２変調信号４１３、４１４を処理する。それらがそれぞれ送信される場合、アップコンバータで変換された信号は、アンテナ４１６および４１７へ送られる。
【００７３】
第１および第２変調信号は、送信される前にコンバイナで組み合わせられてもよい。コンバイナ４２２は、送信器変調器４１０あるいはＲＦフロントエンド４１５のいずれかの一部あるいは個別の装置であってもよい。単一のアンテナ４１６は、放射線によって結合した第１および第２信号を送信するための手段を提供する。これは図８Ｂの中で示される。
【００７４】
添付の図面の図９は、図８Ａおよび８Ｂの中で示される単一チャネルを共有する第１および第２信号を生成するための多元接続通信システムで作動するための装置を使用する方法を示す。方法は、複数個の遠隔局１２３〜１２７へ送信するために使用するために使用する、基地局１１０、１１１、１１４の特定のチャネル周波数および特定のタイムスロットを割り当てることを含み、異なるトレーニングシーケンスが各遠隔局１２３のために割り当てられる。したがって、１例において、この方法は基地局コントローラ１５１、１５２で実行されてもよい。別の例において、この方法は基地局１１０、１１１、１１４で実行されてもよい。
【００７５】
方法５０１の開始に続いて、基地局１１０と１１１、１１４と遠隔局１２３〜１２７との間の新しい接続をセットアップするべきかどうかに関して、ステップ５０２で決定が下される。答えがＮＯである場合、方法は開始ブロック５０１に戻り上記のステップが繰り返される。答えがＹＥＳである場合、新しい接続がセットアップされる。その後、ブロック５０３では、未使用のチャネル（つまり任意のチャネル周波数用の不使用タイムスロット）があるかどうかに関して決定が下される。使用されたあるいは未使用のチャネル周波数上に不使用時間スロットがある場合、新しいタイムスロットはブロック５０４に割り付けられる。その後、方法は開始ブロック５０１に戻り、上記のステップが繰り返される。
【００７６】
結局、（タイムスロットがすべて接続に使用されるので）不使用タイムスロットがもはやない場合、ブロック５０３の質問に対する答えはＮＯであり、方法はブロック５０５へ移動する。ブロック５０５では、使用されたタイムスロットは、１セットの第１基準にしたがって、既存の接続と共有する新しい接続のために選択される。様々な基準がある場合があり得る。例えば、１つの基準は、それに低トラフィックがある場合、タイムスロットが選択されてもよいということかもしれない。別の基準は、１つ以上の遠隔局１２３〜１２７によってタイムスロットが既に使用されているということかもしれない。採用されたネットワークプランニング方法に基づいた他の可能な基準があり、そして基準はそれらの２つの例に制限されていないことは認識され得る。
【００７７】
既存の接続と共に共有するために選択されたチャネル周波数上の使用されたタイムスロット、新しい接続用のＴＳＣは、その後、１セットの第２基準によりブロック５０６で選択される。これらの第２基準は、ブロック５０５でタイムスロットの選択に使用された基準、あるいは他の基準のうちのいくつかを含んでいてもよい。１つの基準は、ＴＳＣが使用されたタイムスロットを含むチャネルのためのセルかセクタによりまだ使用されていないということである。別の基準は、ＴＳＣが近くのセルかセクタによってそのチャネル上で使用されないということかもしれない。その後、方法は開始ブロック５０１に戻り、上記のステップが繰り返される。
【００７８】
添付の図面の図１０Ａは、図９によって記述された方法が基地局コントローラ６００に存在するだろうという例を示す。基地局コントローラ６００内では、コントローラプロセッサ６６０およびメモリサブシステム６５０が存在する。方法のステップは、メモリサブシステム６５０中の、コントローラプロセッサ６６０に存在するメモリ６８５中のソフトウェア６８０内、あるいは、ソフトウェア６８０内でコントローラ６６０内に存在するメモリ６８５内、あついはソフトウェア６８０内で基地局コントローラ６００内のメモリ６８５内、あるいは、他のいくつかのデジタル信号プロセッサ（ＤＳＰ）内で、あるいは、ハードウェアの他の形で格納されてもよい。図１０Ａによって示されるように、基地局コントローラ６００は、移動体交換局６１０、さらに基地局６２０、６３０および６４０に接続される。
【００７９】
データ６５１、６５２、６５３の３つのテーブルの部分がメモリサブシステム６５０内に示される。各データのテーブルは、ＭＳと名付けられたカラムにより示された１セットの遠隔局１２３、１２４に対するパラメータを格納する。テーブル６５１は、トレーニングシーケンスコードの値を格納する。テーブル６５２は、タイムスロット番号ＴＳに対する値を格納する。テーブル６５３は、チャネル周波数ＣＨＦの値を格納する。図１０Ａの中で示されるものへの異なる次元のいくつかのテーブルあるいは多次元の単一のテーブルとして、データのテーブルを配列することができるかもしれないことが認識され得る。
【００８０】
コントローラプロセッサ６６０はデータバス６７０を介してメモリサブシステム６５０と通信し、メモリサブシステム６５０に／からパラメータに対する値を送信および受信する。コントローラプロセッサ６６０内には、アクセス許可コマンドを生成する機能６６１、基地局６２０、６３０、６４０へアクセス許可コマンドを送る機能６６２、トラフィック配分メッセージを生成する機能６６３および基地局６２０、６３０あるいは６４０へ交通量配分メッセージを送る機能６６４を含んでいる。これらの機能はメモリ６８５に格納されたソフトウェア６８０を使用して実行されてもよい。
【００８１】
コントローラプロセッサ６６０内には、あるいは基地局コントローラ６００の他のところには、基地局６２０、６３０あるいは６４０によって送信された信号の電力レベルをコントロールする電源コントロール機能６６５がさらにあってもよい。
【００８２】
基地局コントローラ６００、つまり、メモリシステム６５０およびコントローラプロセッサ６６０内にあることとして示された関数は、移動体交換局６１０内に存在することが出来ると認識し得る。同じく、基地局コントローラ６００の一部であると記述された関数のうちのいくつかあるいはすべては、同じく基地局６２０、６３０あるいは６４０の１つ以上に存在してもよい。
【００８３】
図１０Ｂは、基地局コントローラ６００によって実行されたステップを示すフローチャートである。遠隔局１２３、１２４へチャネルを割り付けるとき、例えば、遠隔局１２３がサービスを要求した場合、遠隔局１２３、１２４へサービスしたい基地局６２０、６３０、６４０は、チャネル割当てのために基地局コントローラ６００へリクエストメッセージを送る。
【００８４】
コントローラプロセッサ６６０は、データバス６７０を介してステップ６０２で依頼メッセージを受け取ることで、新しい接続が必要かどうか判断する。答えがＮＯである場合、方法は開始ブロック６０１に戻り、上記のステップが繰り返される。答えがＹＥＳである場合、セットアップされた新しい接続が始められる。その後、ブロック６０３では、未使用のチャネル（つまり任意のチャネル周波数用の不使用時間スロット）があるかどうかに関して決定が下される。使用されているか未使用のチャネル周波数上に不使用時間スロットがある場合、新しいタイムスロットはブロック６０４に割り付けられる。その後、方法は開始ブロック６０１に戻り、上記のステップが繰り返される。
【００８５】
他方では、コントローラプロセッサ６６０は、不使用時間スロットがどんなチャネル周波数上にもないことを決める場合、それは使用されたタイムスロットを選択する。図１０Ｂのステップ６０５を参照。選択は、タイムスロットの現在の使用法のような基準についての情報を得るためにメモリサブシステム６５０あるいは他のメモリ６８５にアクセスすること、および、遠隔局１２３、１２４の両方あるいは１つだけがＤＡＲＰ対応可能かどうかに基づくことが可能である。
【００８６】
コントローラプロセッサ６６０は使用されたタイムスロットを選択し、タイムスロットのトレーニングシーケンスコードを選ぶ。図１０Ｂのステップ６０６を参照。タイムスロットは既に仕様されているため、これはタイムスロットに選択された第２トレーニングシーケンスになるだろう。
【００８７】
タイムスロットを選択する基準を適用するために、コントローラプロセッサ６６０はデータバス６７０を介してメモリ６５０へアクセスし、あるいは他のメモリ６８５にアクセスし、例えばタイムスロット又はトレーニングシーケンスあるいはその両方の現在の割り付けについての情報、および、遠隔局１２３、１２４がＤＡＲＰ能力を有しているか否かの情報、の情報を取得する。その後、コントローラプロセッサ６６０はコマンド（６６１または６６３）を生成し、基地局６２０へコマンド（６６２または６６４）を送って、遠隔局１２３へチャネル周波数、タイムスロット、および、トレーニング周波数を割り当てる。その後、方法は開始ブロック６０１に戻り、上記のステップが繰り返される。
【００８８】
添付の図面の図１１は、基地局６２０、９２０における信号のフローを示す。基地局コントローラインタフェース９２１は通信リンク９５０を介して基地局コントローラ６００と通信する。通信リンク９５０は例えばデータケーブルあるいはＲＦリンクかもしれない。コントローラプロセッサ９６０は、データバス９７０を介して、受信器コンポーネント９２２、９２３、９２４、送信器コンポーネント９２７、９２８および９２９と、通信しコントロールする。コントローラプロセッサ９６０はデータバス９８０を介してＢＳＣインタフェース９２１と通信する。データバス９７０は単に１つのバスあるいはいくつかのバスを含むことができ、部分的にあるいは全体的に双方向になりえる。データバス９７０および９８０は同じバスでありえる。
【００８９】
１例において、チャネルの許可を要求するメッセージは、基地局アンテナ９２５でコード化され、変調され、放射されて遠隔局１２３、１２４受信され、送受信切換スイッチ９２６へ入力される。信号は、信号に条件付ける（例えばダウン変換、フィルタリング、および、増幅する手段により）受信器フロントエンド９２４へ送受信切換スイッチ９２６の受信ポートから通過する。受信器復調器９２３は条件つきの信号を復調し、復調信号をデコードしデインタリーバし、生じたデータをコントローラプロセッサ９６０へ出力するチャネルデコーダおよびデインタリーバ９２２へ復調信号を出力する。
【００９０】
コントローラプロセッサ９６０は、生じたデータからチャネルの許可を要求するメッセージを引き出す。コントローラプロセッサ９６０は基地局コントローラ６００へ基地局コントローラインタフェース９２１を介してメッセージを送る。基地局コントローラ６００は、その後、移動体交換局６１０と共にあるいは自主的に、遠隔局２３、２４へチャネルを与えるか与えないために作用する。
【００９１】
基地局コントローラ６００はアクセス許可コマンドを生成し送り、通信リンク９５０を介してＢＳＣインタフェース９２１へ、例えば割り当てメッセージ、遠隔局１２３、１２４の他のデジタル通信信号あるいはトラフィック、および、アクセス許可コマンドを生成し、送信する。その後、信号はコントローラプロセッサ９６０へデータバス９８０を介して送られる。コントローラプロセッサ９６０は遠隔局１２３、１２４の信号をコーダおよびインタリーバ９２９へ出力して、コード化されインターリーブされた信号がその後送信器変調器９２８へ渡る。図１１から、送信器変調器９２８に入力されるいくつかの信号、遠隔極１２３、１２４の各信号、があること示されるかもしれない。これらのいくつかの信号は、送信器変調器９２８内で結合されて、図１１に示すようにＩおよびＱコンポーネントを有する結合された変調信号を提供することができる。しかしながら、いくつかの信号の結合は、送信機フロントエンドモジュール９２７内、および、あるいは、送信チェーン内の他の段階内で行なわれたポスト変調でありえる。変調された結合信号は、送信機フロントエンド９２７から出力され、送受信切換スイッチ９２６の送信ポートへ入力される。その後、信号は、共通のあるいは送受信切換スイッチ９２６のアンテナポートを介して、送信用のアンテナ９２５へ出力される。
【００９２】
別の例において、チャネルの許可を要求する第２円各局１２３、１２４からの第２メッセージは基地局アンテナ９２５で第２受信信号において受信された。第２受信信号は上述のように処理され、チャネルの許可の要求は基地局コントローラ６００へ処理された第２受信信号において送信される。
【００９３】
基地局コントローラ６００は、上述するように、基地局６２０、９２０へ第２アクセス許可メッセージを生成し送信し、基地局６２０、９２０は、上述のように、遠隔局１２３、１２４へ第２アクセス許可メッセージを備える信号を送信する。
【００９４】
添付の図面の図１２は、セルラ通信システム１００の本方法および装置の基地局コントローラ（ＢＳＣ）６００の内に存在するメモリサブシステム６５０内のデータ記憶装置のための配置例を示す。遠隔局１２３〜１２７は番号付けられ、図１２のテーブル１００１は、遠隔局１２３〜１２７に割り当てられたチャネル周波数の値のテーブルである。遠隔局１２３〜１２７はタイムスロット番号に対して示され、テーブル１００２は、タイムスロットの値のテーブルである。タイムスロット番号３が遠隔局１２３、１２４および２２９に割り当てられることが理解されるだろう。同様に、テーブル１００３は、遠隔局１２３〜１２７にトレーニングシーケンス（ＴＳＣ）を割り付けるデータのテーブルを示す。
【００９５】
図１２のテーブル１００５は、記述されたテーブル１００１、１００２および１００３に示されるパラメータをすべて含めるのに多次元のデータの拡大したテーブルを示す。図１２に示されるテーブル１００５の部分は使用される完全なテーブルの小部分のみであることが認識されるだろう。テーブル１００５は、加えて周波数割り付けセットの割り付けを示し、各周波数割り付けはセルの特定のセクタあるいはセルにおいて使用される周波数のセットに対応している。テーブル１００５では、周波数割り付けセットｆ１は、図１２のテーブル１００５に示される、すべての遠隔局１２３〜１２７に割り当てられる。示されていないテーブル１００５の他の部分は他の遠隔局１２３〜１２７へ割り当てられる周波数割り付けセットｆ２、ｆ３を示すであることが認識されるだろう。データの第４行は値ではなく、テーブル１００１においてデータの行３と５との間で示されない多くの可能な値があることを示す繰り返されたドットを示す。
【００９６】
位相シフト
基地局１１０、１１１、１１４によって送信された２つの信号のための変調の絶対位相は同一ではないかもしれない。１以上のＴＳＣの提供に加えて、同じチャネル（co-TCH）を使用する追加のユーザの要求に応えるために、ネットワークは既存のco-TCH遠隔局に関しての新しい共同チャネル（co-TCH）のＲＦ信号の記号を位相シフトしてもよい。可能であれば、ネットワークは、平等に割り付けられた一定間隔で配置された位相シフトでそれらをコントロールし、受信器パフォーマンスを改善してもよい。
【００９７】
例えば、２ユーザのためのキャリア周波数（特別のＡＲＦＣＮを有する）の位相シフトは、９０度間隔で、３ユーザは６０度間隔であるだろう。４ユーザのためのキャリア（ＡＲＦＣＮ）の位相シフトは４５度間隔であるだろう。上述のように、ユーザは異なるＴＳＣを使用するだろう。本方法および装置の追加の遠隔局１２３〜１２７はそれぞれ、異なるＴＳＣを割り当てられ、それ自身のＴＳＣおよびＤＡＲＰ特徴を使用して、それ自身のトラフィックデータを得る。
【００９８】
したがって、改善されたＤＡＲＰ性能について、２つの異なる移動局（遠隔局）１２３、１２４を意図した２つの信号は、理想的にそれらのチャネルインパルス応答用のπ／２だけ位相シフトされ、しかし、これ未満はさらに適切な性能を提供するだろう。
【００９９】
第１および第２遠隔局１２３、１２４が同じチャネル（つまり同じチャネル周波数上の同じタイムスロット）を割り当てられる場合、信号は、変調器９２８互いに９０度位相シフトした２つの信号を変調するように（以前に記載したように異なるトレーニングシーケンスを使用して）２つの遠隔局１２３、１２４へ送信され、位相相違による信号間の干渉をさらに低下させる。そのように、例えば、変調器９２８から出現するＩおよびＱのサンプルは、各々、２つの信号の１つを表し、それらの信号は９０度の位相により分離された信号であるだろう。変調器９２８は、このように２つの遠隔局１２３、１２４の信号間の位相差を導入する。
【０１００】
同じチャネルを共有するいくつかの遠隔局１２３、１２４の場合には、ＩおよびＱサンプルの多数のセットは、異なるオフセットで生成することができる。例えば、同じチャネル上の第３遠隔局１２３、１２４の第３信号がある場合、変調器９２８は、第１信号の位相に関連のある第２および第３信号の好ましくは６０度および１２０度の位相シフトを導入し、生じるＩおよびＱサンプルが全ての３信号を表わす。例えば、ＩおよびＱサンプルは、３つの信号のベクトル和を表わすだろう。
【０１０１】
このように、送信器変調器９２８は、同じ周波数上で同じタイムスロットを使用して、同時の信号間の位相差を導入するため、基地局６２０、９２０で手段を提供し、異なる遠隔局１２３、１２４へ示した。そのような手段は他の方法で提供することができる。例えば、個別の信号は変調器９２８で生成することができ、また、生じるアナログ信号は、位相シフト要素を通してそれらの１つを渡すことにより送信器フロントエンド９２７で結合され、その後、位相シフトされたおよび位相シフトされなかった信号を単に合算する。
【０１０２】
パワーコントロール態様
下のテーブル２は、図５に示され、遠隔局１２３乃至１２７により受信されるような、２つの基地局１１０および１１４により送信された信号の受信信号電力レベル、トレーニングシーケンス、タイムスロット、チャネル周波数の値の例を示す。
【表２】
0005431481.tif 000003
【０１０３】
テーブル２
テーブル２の行３および４は、太い長方形により囲まれ、インデックス３２を有するチャネル周波数を使用し、基地局１１４からの信号を受信するためにタイムスロット３を使用する遠隔局１２３および遠隔局１２４の両方は、それぞれ異なるトレーニングシーケンスコードＴＳＣ２およいＴＳＣ３を割り当てられている。同様に、行９および１０は、さらに同じ基地局１１０から信号を受信するために、２つの遠隔局１２５、１２７のために使用されている同じチャネル周波数およびタイムスロットを示す。遠隔局１２５、１２７それぞれの場合では、求められる信号の受信電力レベルは、２つの遠隔局１２５、１２７について本質的に異なることが理解されるかもしれない。
【０１０４】
テーブル３の強調された行３および４は、基地局１１４が遠隔局１２３へ信号を送信し、さらに遠隔局１２４へ信号を送信することを示す。遠隔局１２３での受信電力レベルは−６７ｄＢｍであるが、遠隔局１２４での受信電力レベルは−１０２ｄＢｍである。テーブル３の行９および１０は、基地局１１０が遠隔局１２５へ信号を送信し、さらに遠隔局１２７へ信号を送信することを示す。遠隔局１２５での受信電力レベルは−１０１ｄＢｍであるが、遠隔局１２７での受信電力レベルは−５７ｄＢｍである。電力レベルの大きな差は、各場合に、基地局１１０からの遠隔局１２５、１２７の異なる距離によるものだろう。あるいは、電力レベルの差は、別の遠隔局に対する１つの遠隔局のための、信号を送信する基地局と信号を受信する遠隔局との間の、信号のマルチパス取消の異なる量あるいは異なるパスロスによるものであるだろう。
【０１０５】
別の遠隔局と比較された１つの遠隔局の受信電力レベルのこの差は故意でなく、セル計画にとって理想的ではないが、それは本方法および装置のオペレーションを危険にさらさない。
【０１０６】
２つの信号の振幅あるいは電力レベルが遠隔局１２３〜１２７のアンテナで同じである限り、ＤＡＲＰ能力を有する遠隔局１２３〜１２７は２つの共同チャネル、同時に受信された信号の１つを成功裡に復調してもよい。略同じ電力レベル（互いの６ｄＢ以内という）で、各遠隔局１２３〜１２７は２つの信号を受信するため、信号が両方とも（１以上のアンテナ、例えば信号ごとに１つのアンテナを有し得る）同じ基地局１１０、１１１、１１４により送信され、２つの送信信号の電力レベルが略同じである場合、これは達成可能である。基地局１１０、１１１、１１４が同様の電力レベルで２つの信号を送信するために配置され、あるいは、基地局１１０、１１１、１１４が固定電源レベルで両方の信号を送信する場合、送信されたパワーは同様である。この状況は、テーブル２への一層の言及、および言及テーブル３の言及により表すことができる。
【０１０７】
テーブル２は本質的に異なる電力レベルを有する基地局１１４信号から受信する遠隔局１２３、１２４を示し、より綿密な検査においては、テーブル２の行３および５に示されるように、遠隔局１２３への求められた信号である１つの信号と、遠隔局１２４への求められない信号である別の信号とである２つの信号を同じ電力レベルで基地局１１４から、受信する。同じ電力レベルを有する信号を受信するための遠隔局１２３〜１２７の基準は、この例において、適合することとしてこのように示される。移動局１２３にＤＡＲＰ受信器がある場合、それは、この例において、求められる信号を復調し、望まれない信号を拒絶することができる。
【０１０８】
同様に、同じチャネルを共有し、同じ電力レベル（１０２ｄＢｍ）を有する２つの信号を遠隔局１２４が受信することは、（上の）テーブル２の行４および６を詳しく調べることにより分かるだろう。両方の信号は、基地局１１４からである。２つの信号のうちの１つは、遠隔局１２４への求められる信号であり、別の信号は遠隔局１２３により使用されることを意図した求められない信号である。
【０１０９】
さらに上記の概念を説明するために、テーブル３は、テーブル２の行が単に順序付けられたテーブル２の変更されたバージョンである。遠隔局１２３および１２４それぞれは、同じチャネルと同様の電力レベルとを有する、求められる信号と求められない信号との２つの信号を１つの基地局１１４から受信することが分かるだろう。さらに、遠隔局１２５は、同じチャネルと同様の電力レベルとを有する、求められる信号と求められない信号との、２つの信号を２つの異なる基地局１１０、１１４から受信する。
【表３】
0005431481.tif 000004
【０１１０】
テーブル３
上述された装置および方法はシミュレートされ、方法は、ＧＳＭシステムにおいてでうまく動作すると分かった。上述され、図８Ａ、８Ｂ、１０Ａ、１１、および１２において示された装置は、例えばＧＳＭシステムの基地局１１０、１１１、１１４の一部でありえる。
【０１１１】
本方法および装置の別の態様によれば、第１円各局１２３〜１２７がＤＡＲＰ対応の受信器を有し、第２円各局１２３〜１２７がＤＡＲＰ対応の受信器を有さないように、基地局１１０、１１１、１１４が同じチャネルを使用する２つの遠隔局１２３〜１２７で呼を維持することが可能である。２つの遠隔局１２４〜１２７により受信された信号の振幅は、１例において８ｄＢと１０ｄＢとの間である値の範囲内の量で異なるように取り決められ、ＤＡＲＰ対応の遠隔局を意図する信号の振幅がＤＡＲＰ非対応の遠隔局１２４〜１２７を意図した信号の振幅よりも低いように取り決められる。
【０１１２】
ＭＵＲＯＳか非ＭＵＲＯＳ移動体は干渉としてその望まれない信号を扱ってもよい。しかしながら、ＭＵＲＯＳについては、両方の信号はセルの求められる信号として扱われてもよい。ＭＵＲＯＳ対応のネットワーク（例えばＢＳとＢＳＣ）を備えた利点は、両方の信号が希望信号として扱われるように、ＢＳ１１０、１１１、１１４が１だけの代わりに１つのタイムスロット当たり２つ以上のトレーニングシーケンスを使用してもよいということである。本方法および装置の移動体がそれぞれ十分に高い振幅でそれ自身の信号を受け取り、２つの信号が振幅比を維持するので、２つのトレーニングシーケンスに対応する２つの信号が検知されてもよいように、ＢＳ１１０、１１１、１１４は適切な振幅で信号を送信する。
【０１１３】
この特徴は、ＢＳ１１０、１１１、１１４あるいはＢＳＣ６００の中のメモリに格納されたソフトウェアを使用してインプリメントされてもよい。例えば、ＭＳ１２３〜１２７は、それらの伝送損失に基づき、および、既存のトラフィックチャネル能力に基づいて、ペアリングのために選ばれている。しかしながら、伝送損失が他の移動体１２３〜１２７より１つの移動体へのものが非常に異なる場合、ＭＵＲＯＳは今までどおり働くことができる。１つの移動体１２３〜１２７がはるかにさらにＢＳ１１０、１１１、１１４から遠ざかっている場合、これが生じてもよい。
【０１１４】
電源制御に関して、ペアリングの異なる可能な組合せがある。ＭＳ１２３〜１２７の両方はＤＡＲＰ可能であり、あるいは、単なる１つのＤＡＲＰ可能になりえる。両方の場合では、移動体１２３〜１２７の受信幅あるいは電力レベルが、互いの１０ｄＢ以内にあってもよく、また、ＭＳ２も同様である。しかしながら、１つの遠隔局だけがＤＡＲＰ可能である場合、一層の制約は、第２信号（１つの例では第２信号よりも少なくとも８ｄＢ高い）以上に非ＤＡＲＰ移動体１２３〜１２７がその求められる（あるいは望んだ）第１信号を有しているということである。ＤＡＲＰ可能な移動体１２３〜１２７は、第１信号（１例において、それは最低１０ｄＢである）より下のより低いしきい値を超えないその第２信号を受信する。従って、１例において、振幅比は、ＤＡＲＰ／ＤＡＲＰ可能な遠隔局１２３〜１２７の０ｄＢ±１０ｄＢ、あるいは、１つの、非ＤＡＲＰ移動体を支持する非ＤＡＲＰ／ＤＡＲＰの８ｄＢから１０ｄＢのより高い信号である。さらに、それは遠隔局１２３〜１２７がそれぞれその検出限界の上のその求められる信号を受信するように、２つの信号を送信することは、ＢＳ１１０、１１１、１１４には望ましい。（１例において、それはその検出限界の少なくとも６ｄＢ上にある。）したがって、１つの遠隔局１２３〜１２７がより多くの伝送損失を有する場合、ＢＳ１１０、１１１、１１４はこれを達成するのに適切な振幅でその遠隔局の信号を送信する。これは絶対振幅をセットする。その後、別の信号との差は、その他の信号の絶対振幅を決定する。
【０１１５】
添付の図面の図１３は、ＤＡＲＰ特徴がある本方法および装置の遠隔局１２３〜１２７用の受信器構造の一例を示す。１例において、受信器は単一アンテナ干渉除去（ＳＡＩＣ）エコライザ１１０５あるいは最大尤推定法列推定機（ＭＬＳＥ）エコライザ１１０６のいずれかを使用するのに適している。他のプロトコルをインプリメントする他のエコライザも使用されてもよい。同様の信服を有する２つの信号が受け取られる場合、ＳＡＩＣエコライザの使用は好ましい。求められる信号が望まれない共同チャネル信号よりはるかに大きな振幅を持っている場合、受信信号の振幅が例えば類似していない場合、ＭＬＳＥエコライザは典型的に使用される。
【０１１６】
添付の図面の図１４は、２つの１２３〜１２７に同じチャネルを帰するのに適したＧＳＭシステムの一部の単純化された表現を示す。システムは、基地局１１０の一部である基地局トランシーバサブシステム（ＢＴＳ）、および２つの遠隔局、移動局１２５および１２７を備える。ネットワークは、基地局トランシーバサブシステム１１０を介して、２つの遠隔局１２５および１２７へ、同じチャネル周波数および同じタイムスロットを割り当てることができる。ネットワークは２つの遠隔局１２５および１２７に異なるトレーニングシーケンスを割り付ける。遠隔局１２５および１２７は、両方とも移動局で、両方とも１６０に等しいＡＲＦＣＮを有するチャネル周波数、および３に等しいＴＳ、タイムスロットインデックス番号を備えたタイムスロットを割り当てられる。遠隔局１２５は、５のトレーニングシーケンスコード（ＴＳＣ）を割り当てられるが、１２７は、０のトレーニングシーケンスコード（ＴＳＣ）を割り当てられる。遠隔局１２５、１２７はそれぞれ、他の遠隔局１２５、１２７（図の中で点線によって示される）を意図した信号と一緒に、それ自身の信号（図の中で実線によって示される）を受け取るだろう。遠隔局１２５および１２７はそれぞれ、望まれない信号を拒絶する間にそれ自身の信号を復調することができる。
【０１１７】
上述のように、本方法および装置によれば、単一の基地局１１０、１１１、１１４は第１および第２信号を送信することができ、第１および第２円各局１２３〜１２７のその信号はそれぞれ、同じチャネル上で送信され、異なるトレーニングシーケンスを有する。第１および第２信号の振幅が本質的に互いの１０ｄＢ以内である場合、ＤＡＲＰ能力を有する第１遠隔局１２３〜１２７は、トレーニングシーケンスを使用して、第２信号と第１信号とを区別し、第１信号を復調して使用する。
【０１１８】
要約すると、図１４は、ネットワークが２つの移動局に同じ物理資源を帰するが、それらに異なるトレーニングシーケンスを割り付けることを示す。移動体はそれぞれそれ自身の信号（図１４に実線として示される）、および別のco-ＴＣＨユーザ（図１４に点線として示される）を意図したそれを受信するだろう。ダウンリンクにおいては、移動局がそれぞれ信号をＣＣＩとして別の移動局のために意図されたと考えて、干渉を拒絶するだろう。したがって、２つの異なるトレーニングシーケンスがもう一人のＭＵＲＯＳユーザからの干渉を抑えるために使用されてもよい。
【０１１９】
遠隔局のペアリング
本方法および装置がどのように実現されるかによれば、ＭＵＲＯＳクラスマーク（それがＭＵＲＯＳでレガシーＵＥを備えたペアが望ましいとして）の無線アクセス能力上で返答せずに、特定のＢＳに接続された遠隔局のどれがＭＵＲＯＳ可能であるか識別することは有用かもしれない。遠隔局のクラスマークの要求により、ＢＳが遠隔局のＤＡＲＰ能力を識別することが可能である。クラスマークは遠隔局からその能力のＢＳへの宣言である。これはＧＥＲＡＮ基準中のＴＳ１０．５．１．５−７のうちの２４．００８に記述される。現在、標準は遠隔局のＤＡＲＰ能力を示すクラスマークを定義し、しかし、これまでのところ、ＭＵＲＯＳクラスマークあるいは新しいトレーニングシーケンスクラスマークの支援は定義されていない。そのため、それはレガシー遠隔局のためにクラスマークを使用して、遠隔局がＭＵＲＯＳ可能でも、でなくても識別することは可能ではない。さらに、標準中のＤＡＲＰクラスマークの定義にもかかわらず、標準は、その能力のＢＳに通知するＢＳにクラスマークを送ることは遠隔局に要求しない。実際、多くのメーカーが、それらの遠隔局がＢＳによりノイズのチャネルが自動的に割り当てられないように、それらのＤＡＲＰ対応遠隔局がＤＡＲＰクラスマークを呼設定手順におけるＢＳへ送信する設計せず、それによって、遠隔局からの通信を潜在的に下げる。したがって、遠隔局がＭＵＲＯＳ対応かあるいはＤＡＲＰ対応かにかかわらず、それは任意の確実性を確認することは現在可能ではない。それらがそれをすることに対して能力を持っているので、それは、レガシー遠隔局にＭＵＲＯＳオペレーションにおいて役割を果たさせることは望ましい。現在の問題は、それを支援するシグナリングがないということである。
【０１２０】
理論上、遠隔局の国際モバイル機器同一性（ＩＭＥＩ）に基づいた遠隔局のＭＵＲＯＳ能力を識別することはＢＳにとって可能だろう。ＢＳは遠隔局から直接それを要請することにより遠隔局のＩＭＥＩを確立することができる。ＤＡＲＰおよびＭＵＲＯＳのようなその能力に加えて、ＩＭＥＩは遠隔局に特有で、ネットワークのいかなる場所にも配置されたデータベースを参照することができ、遠隔局が属する携帯電話のモデルを識別する。電話がＤＡＲＰあるいはＭＵＲＯＳ対応ならば、それは、ＢＳによって別の適切な遠隔局とスロットを共有することに対する候補と見なされるだろう。しかしながら、ＩＭＥＩを使用することは、理論上可能である、ＤＡＲＰあるいはＭＵＲＯＳ能力だけが、特別の遠隔局が別の遠隔局とＴＤＭＡスロットを共有することができるかどうか判断する十分な基準ではない。オペレーションでは、ＢＳは、ＤＡＲＰあるいはＭＵＲＯＳ対応であるＢＳに現在接続された遠隔局のリストを構築するだろう。特別のスロットを共有することができる遠隔局の識別子は他の基準を考慮する。
【０１２１】
第１に、与えられたノイズの多い環境において遠隔局の干渉除去能力を確立することができるだろう。（図３５の流れ図のステップ１６１０を参照）。この知識は最も適切な利用可能な共有されるスロットに遠隔局を割り付けるために使用される。（図３５の流れ図のステップ１６２０を参照）。さらに、それは他の候補遠隔局との最良のペアリングを許すために使用される。（図３５の流れ図のステップ１６３０を参照）。遠隔局の干渉除去能力を決定する１つの方法は、「ディスカバリバースト」を送ることである。これは、遠隔局により受信されると望まれた信号がその上に重ねられた既知の干渉縞を有する、短い無線バーストである。ディスカバリバーストは、抑制された電力レベルで重ねられたＣＣＩの信号を備えた基礎的な音声信号を含んでいる。ディスカバリバーストを送る場合、現在オペレーションの中で呼に使用されているものへ異なるトレーニングシーケンスが送られる。これは、ディスカバリバーストと実際の音声信号との相違を示す。
【０１２２】
本方法および装置の特別のインプリメンテーションでは、ビット誤り確率（ＢＥＰ）が測定される。（下に議論されるように、遠隔局が干渉を拒絶する能力も使用されてもよいことを示す他のパラメータ）。これはＢＳに遠隔局の定期レポートで返送される。ＧＥＲＡＮ基準では、ＢＥＰは、０．０２５％の可能性に相当する３１および２５％のビット誤り率に相当する０を備えた値０−３１によって表わされる。言いかえれば、ＢＥＰが高いほど、遠隔局が干渉を拒絶する能力が大きくなる。ＢＥＰは「向上させられた測定レポート」の一部として報告される。一旦バーストが送られたならば、遠隔局のＢＥＰが与えられたしきい値以下に落ちる場合、次のレポートでは、遠隔局はＭＵＲＯＳオペレーションに適さないと考えられる。シミュレーションでは、少なくとも２５のＢＥＰは、しきい値の有利な選択であることが示された。チャネル上のバーストを送り遠隔局でバーストに生じるエラー回数を測定することにより、ＢＥＰが引き出される記録のである。しかしながら、特にバーストを渡ってエラー周波数の劇的な変化がある場合、それ自身のものの上のＢＥＰは、遠隔局とチャネルとの質の十分に正確な手段ではないかもしれない。したがって、ＢＥＰ（ＣＶＢＥＰ）の共同分散を考慮する中間のＢＥＰについてＭＵＲＯＳオペレーション決定に基づくことは望ましいかもしれない。これらの２つの量は、遠隔局がＢＳに送るレポートの中にあるとした標準によって命じられる。
【０１２３】
あるいは、その決定は、１つのＳＡＣＣＨ周期（０．４８ｍｓ）の間遠隔局によってＢＳに返されたＲｘＱｕａｌパラメータに基づくことができた。値がそれぞれ多くのバーストにおけるビットエラーの概算数に相当するところで、ＲｘＱｕａｌは０−７の間の値である（３ＧＰＰ  ＴＳ  ０５．０８を参照）。これは、８段階から成る受信品質の測定に定義された標準で、受信信号のビット誤り率（ＢＥＲ）に相当する。誤り率が高いほど、ＲｘＱｕａｌが高い。シミュレーションは、２以下のＲｘＱｕａｌがＭＵＲＯＳオペレーション用のしきい値の有利な選択であることを示した。
【０１２４】
あるいは、パラメータＲｘＬｅｖが選択基準として等しく使用されている。ＲＸＬＥＶは、平均信号強度がｄＢｍで受け取られることを示す。これもディスカバリバーストの後に遠隔局へ報告されるだろう。少なくとも１００ｄＢｍのＲｘＬｅｖは、有利なことを示された。ＭＵＲＯＳペアリングの特別の基準は記述されているが、他の多くの基準を代わりにあるいは上に示されたものと結合して使用することができるかもしれないことは当業者に明らかだろう。
【０１２５】
アップリンク上の結合検出
本方法および装置は、ネットワークが新しい変調方式をサポートする必要を回避するためにハンドセットのＧＭＳＫおよびＤＡＲＰ能力を使用する。各ユーザ、例えば共同の検波、を分離するために、ネットワークはアップリンク上で既存の方法を使用してもよい。同じ物理資源が２つの異なる移動体に割り当てられる場合、それは共同チャネル割当てを使用し、しかし、移動体はそれぞれ異なるトレーニングシーケンスを割り当てられる。アップリンクにおいては、本方法および装置の移動局１２３〜１２７がそれぞれ、異なるトレーニングシーケンスを使用してもよい。ネットワークは、アップリンク上の２ユーザを分離するために共同の検出方法を使用してもよい。
【０１２６】
新規ユーザの距離とスピーチコーデック
他のセルへの妨害を縮小するために、ＢＳ１１０、１１１、１１４は遠隔あるいは移動局のそれからの距離に関連のあるそのダウンリンクパワーをコントロールする。遠隔局１２３〜１２７がＢＳ１１０、１１１、１１４に接近している場合、ダウンリンク上で遠隔局１２３〜１２７へＢＳ  １１０、１１１、１１４によって送信されたＲＦパワーレベルはＢＳ１１０、１１１、１１４からより離れた遠隔局１２３〜１２７へよりも低いかもしれない。共同チャネルユーザのための電力レベルは、それらが同じＡＲＦＣＮおよびタイムスロットを共有する場合、より離れた呼出元にとって十分に大きい。それらは両方とも、電力の同じレベルを持つことができ、しかし、ネットワークが基地局１１０、１１１、１１４からの共同チャネルユーザの距離を考慮する場合、これは改善される場合がある。１例において、パワーは距離の識別によりコントロールされ、新規のユーザ１２３〜１２７に必要とされたダウンリンクパワーを評価してもよい。これは、各ユーザ１２３〜１２７のタイミングアドバンス（ＴＡ）パラメータによって行うことができる。各ユーザ１２３〜１２７のＲＡＣＨはＢＳ１１０、１１１、１１４にこの情報を供給する。
【０１２７】
ユーザの同様の距離
別の新規性のある特徴は、現在／既存のユーザとして同様の距離を持った新規ユーザを選ぶことである。ネットワークは、同じセル内にあり、上で示されたおおよそ同じ電力レベルを必要とする既存ユーザのトラフィックチャネル（ＴＣＨ＝ＡＲＦＣＮおよびＴＳ）を識別してもよい。さらに、別の新規性のある特徴は、ネットワークがその後、ＴＣＨの既存ユーザとは異なるＴＳＣを有する新規ユーザにネットワークがこのＴＣＨを割り当ててもよいということである。
【０１２８】
スピーチコーデックの選択
別の考察は、ＤＡＲＰ対応移動体のＣＣＩ拒絶がどのスピーチコーデックが使用されるかに依存して変わるだろうということである。したがって、ネットワーク（ＮＷ）はこの基準を使用し、遠隔局１２３〜１２７との距離によって異なるダウンリンク電力レベルおよび使用されたコーデックを割り当ててもよい。したがって、ネットワークがＢＳ１１０、１１１、１１４への同様の距離である共同チャネルユーザを見つける場合、それの方がよいかもしれない。これはＣＣＩ拒絶のパフォーマンス制限による。他方と比較して１つの信号が強すぎる場合、より弱い信号は干渉により検知されないかもしれない。したがって、共同チャネルおよび共同タイムスロットを割り当てる場合、ネットワークは、ＢＳ１１０、１１１、１１４から新規ユーザまで距離を考慮してもよい。下記は、他のセルへの干渉を最小化するために、ネットワークが実行してもよい手順である：
目標ユーザ多様性のための周波数ホッピングとＤＴＸのフルアドバンテージの取得
音声通話は、ＤＴｘ（不連続の送信）モードによって送信することができる。これは、それによって割り付けられたＴＣＨバーストがスピーチのない間（ユーザがもう一人のユーザによって話されたスピーチを聞いている間）静かになりうる動作モードである。ＤＴｘを使用するセルにおける全てのＴＣＨの利点は、ＵＬとＤＬとの両方の上の提供するセルの全面的な電力レベルを下げることであって、他のユーザへの干渉を縮小することができる。通常、人々は時間の４０％を聞いているため、これは重要な効果がある。述べられるような既知の利点を達成することと同様に、ＤＴｘ特徴はＭＵＲＯＳモードの中で使用することができる。
【０１２９】
周波数ホッピングがユーザ多様性を確立するために使用される場合に、ＭＵＲＯＳが達成されるべき付加的な利点がある。２つのＭＵＲＯＳユーザがともにペアになる場合、ＭＵＲＯＳペアになったユーザ両方がＤＴｘモードである期間があるかもしれない。述べたように、これは他のセルへの利点であるが、どちらもユーザをペアにしなかったＭＵＲＯＳは、チャネルの共有から利点を得る。この理由で、両方がＤＴｘにある場合、割り付けられたリソースは浪費される。この潜在的に有用なＤＴｘ機関を利用するため、ユーザのグループがすべてのフレーム方式で互いにダイナミックにペアになっているように、１つは周波数ホッピングを生じさせることができる。この方法はＭＵＲＯＳオペレーションへユーザ多様性を導入し、両方のペアになったＭＵＲＯＳユーザがＤＴｘにいる見込みを縮小する。さらに、それは、ＴＣＨの上に１つのＧＭＳＫを有する可能性を増加させる。利点は音声通話の性能を増加させて、ＮＷの全面的な容量を最大限にすることを含んでいる。
【０１３０】
そのような場合の一例が説明され得る：同様のＲＦパワーを使用するフルレートスピーチコーデックＡ、Ｂ、Ｃ、Ｄ、Ｔ、Ｕ、Ｖ、Ｗを使用する８ＭＵＲＯＳ呼出元をＮＷが示したと仮定する。呼出元Ａ、Ｂ、Ｃ、Ｄは、非周波数ホッピングになりえる。さらに、呼出元Ａ、Ｂ、Ｃ、Ｄは、ＴＳ３という同じタイムスロット上にあるが４つの異なる周波数、ＡＲＦＣＮ ｆ１、ｆ２、ｆ３およびｆ４を使用する。呼出元Ｔ、Ｕ、Ｖ、Ｗは周波数ホッピングである。さらに、呼出元Ｔ、Ｕ、Ｖ、Ｗは同じタイムスロットＴＳ３上にあり、また周波数ｆ１、ｆ２、ｆ３およびｆ４（ＭＡリスト）を使用する。それらがＨＳＮ＝０、ＭＡＩＯ ０、１、２および３をそれぞれ与えられると仮定する。これは、下のテーブルに示されるように周期的なフォームにおいてＡ、Ｂ，Ｃ、ＤをＴＵＶＷとペアを組ませるだろう。
【表４】
0005431481.tif 000005
【０１３１】
上記のものは単なる例である。この配列はそれがどのように作動するか示すために選択されている。しかしながら、それはこの特定の配列に制限されるべきでない。ペアリングの不揃い性がより導入される場合、それはさらによく作動する。これは４ＭＡのリスト上で周波数ホッピングに８ユーザをすべて置くことにより達成し、それらに異なるＨＳＮ（上記の例０〜３において）およびＭＡＩＯを与え、各々ＡＲＦＣＮである２ユーザを提供することができる。
【０１３２】
データ転送
第１方法は、使用されているトラフィックチャネル（ＴＣＨ）をペアにする。１例において、この特徴は、遠隔局１２３〜１２７側で生成された無変更あるいはマイナーチェンジと、ネットワーク側上でインプリメントされる。ネットワークは、異なるＴＳＣで第１遠隔局１２３〜１２７によりすでに使用されている第２円各局１２３〜１２７へＴＣＨを割り付ける。例えば、ＴＣＨがすべて使用された時、要求されるどんな追加サービスも同様のパワーを使用している（である）既存のＴＣＨとペアになるだろう。例えば、追加サービスが４Ｄ１Ｕデータ呼である場合、ネットワークは付加的な新しい遠隔局１２３〜１２７への同様の必要パワーを備えた連続４つのタイムスロットを使用する４つの既存の音声通話ユーザを見つける。そのような適合するものがない場合、ネットワークは、適合するものを作るためにタイムスロットとＡＲＦＣＮを再構成することができる。その後、ネットワークは、４Ｄ  ＴＣＨを必要とする新しいデータ呼に４つのタイムスロットを割り当てる。新しいデータ呼はさらに異なるＴＳＣを使用する。さらに、補足もののためのアップリンクパワーは、既にタイムスロットを使用して、遠隔局１２３〜１２７のアップリンクパワーと等しくなるように、あるいは近づくようにしてもよい。
【０１３３】
１以上のＴＳＣへ遠隔局１２３−１２７の割り当て
１を超えるタイムスロットを使用するデータサービスを考慮する場合、すべて（それが偶数の場合）あるいは１以外のすべて（それが奇数の場合）のタイムスロットはペアになってもよい。したがって、改善された容量は、１つのＴＳＣに遠隔局１２３〜１２７に１を超えるＴＳＣを与えることにより達成されてもよい。多数のＴＳＣの使用により、遠隔局１２３〜１２７は、１つの例で、実際のＲＦ資源割り当てが半分でカットされるように、１つのタイムスロットでそのペアのタイムスロットを組み合わせてもよい。例えば、４ＤＬデータ転送については、各フレーム中のＴＳ１、ＴＳ２、ＴＳ３およびＴＳ４に遠隔局がバーストＢ１、Ｂ２、Ｂ３およびＢ４を現在持っていると仮定する。本方法を使用すると、Ｂ３とＢ４とはＴＳＣ１という異なるＴＳＣを有する間、Ｂ１とＢ２とはＴＳＣ０という１つのＴＳＣを割り当てられる。その、Ｂ１とＢ２とはＴＳ１の上で送信されてもよく、また、Ｂ３とＢ４とは同じフレーム中のＴＳ２の上で送信されてもよい。このように、以前の４ＤＬ割当ては、空間上の４つのバーストを送信するために２つのタイムスロットを単に使用する。ＳＡＩＣ受信器は、ＴＳＣ０でＢ１とＢ２とを復調し、ＴＳＣ１でＢ３とＢ４とを復調することができる。４つのバーストを復調するパイプライン処理は従来のアプローチで途切れなくこの特徴を働かせてもよい。
【０１３４】
タイムスロットの結合
タイムスロットの１ユーザの偶数番号を結合することは、バッテリエネルギーを提供する空間上（ＯＴＡ）割り当てを有してもよい。これは、提供するセルおよび隣接セルの両方に対して更新するシステム情報および隣接セルのスキャンをするおよび／またはモニタをするための付加時間を開放する。ネットワーク側にいくつかのさらなる特徴がある。ネットワークは、新規ユーザの距離に基づいた共同タイムスロット（co-TS）、共同チャネルの付加的な割り当てを形成してもよい。最初に、ネットワークは、そのユーザが同様の距離にいるＴＣＨを使用してもよい。これは、各ユーザのタイミングＴＡによって行うことができる。各ユーザのＲＡＣＨはＢＳ１１０、１１１、１１４にこの情報を供給する。
【０１３５】
ネットワークトラフィック割り当てにおける変化
上記のものは、さらにＢＳのほうへ動くものとＢＳから離れる他方との異なる方向において、２つの共同チャネル、共同ＴＳユーザが動いていれば、それらのうちの１つがパワーレベルのよりよい適合を有する別のＴＣＨに切り換わる点があるだろう。ネットワークが異なるＡＲＦＣＮおよびＴＳ上でユーザを連続的に再度割り付けていてもよいので、これは問題であるべきでない。ある一層の最適化は、これがローカルエリアの周波数再利用パタンで関連づけられるので、例えば使用される新しいＴＳＣの選択を最適化するように、有用であるかもしれない。この特徴の１つの利点は、それがネットワーク側、例えばＢＳとＢＳＣとにおいて、主としてソフトェア変更を使用するということである。ネットワークトラフィックチャネル割当て上の変化は、容量を増加してもよい。音声とデータとの両方についてのコチャネル動作
さらなる改良がなされてもよい。最初に、Ｃｏ-ＴＣＨ（共同チャネルおよび共同タイムスロット）は、容量データレートを改善するために同じＴＣＨ上でデータ呼にも音声通話にも使用されてもよい。この特徴は、ＣＳ１〜４およびＭＣＳ１〜４．８ＰＳＫのような、ＧＭＳＫ変調されたデータサービスに適用されてもよい。
【０１３６】
用いられるより少ないタイムスロット
この特徴は、増加した容量を達成するためのデータ呼上で共同チャネル（co-TCH）の再使用に適用されてもよい。データ転送の２つのタイムスロットは、対応するバーストのそれぞれにおいて使用された２つのトレーニングシーケンスで１つのタイムスロットを使用して、ペアになり、送信されてもよい。それらは目標受信器に割り当てられる。これは、４タイムスロットダウンリンクは２タイムスロットダウンリンクへ縮小されることを意味し、それは受信器へ時間とパワーとを蓄える。４タイムスロットから２タイムスロットオペレーションへ変わることは、ＮＣをモニタするような、他のタスクを行うためのより多くの時間を与え、それはハンドオフ（ＨＯ）を改善するだろう。
【０１３７】
Ｔｒａ、Ｔｒｂ、Ｔｔａ、Ｔｔｂダイナミックと拡張されたダイナミックＭＡＣのようなマルチスロットクラス配置要求に関しての割り当ての制約は、規則が緩めされてもよい。これは、様々な呼出元からの要求を供給するために、ネットワークのより多くの選択があることを意味する。これは、否定されたサービス要求の数を減らすか最小化する。これはネットワークの視点から見て、容量とスループットとを増加させる。ユーザはそれぞれ、ＱｏＳの妥協なしにより少ないリソースを使用することができる。より多くのユーザは提供される。１例において、これはネットワーク側においてソフトェア変更として実行されてもよく、遠隔局１２３〜１２７はそのＤＡＲＰ能力の上に追加のＴＳＣを受理するのに適している。ネットワークトラフィックチャネル割当ての上の変化は容量−スループットを増加させてもよい。ネットワークが使用中の間であってもアップリンクネットワークリソースの使用は保存されることができる。ネットワークが使用中の間さえ、アップリンクネットワーク資源の使用は保存することができる。パワーは遠隔局１２３〜１２７上に保存することができる。ハンドオーバパフォーマンスが良いほど、データ呼を割り当てるネットワーク上制限が少なく、ならびに、改善されたパフォーマンスを達成することができる。
【０１３８】
２重キャリア
本方法および装置は、パフォーマンスを改善するために２重のキャリアと共にさらに使用されてもよい。遠隔局がデータ率を増加させるために２つのチャネル上の信号を同時に受け取ることができる２重のキャリアが割り付けられる。ここに記述された装置と方法は、ダウンリンク上のパフォーマンスを改善するための２重のキャリアと共に使用されてもよい。
【０１３９】
新規ＴＳＣ
本方法および装置は、ネットワークが例えば共同チャネル周波数（すでに使用されたＡＲＦＣＮ）と共同タイムスロット（すでに使用されたタイムスロット）の共同ＴＣＨを使用できるように、既存のＤＡＲＰ対応のコンポーネントのための改善を提供し、異なるＴＳＣを異なる遠隔局１２３〜１２７に割り当てることにより、追加のユーザを供給しおよび付加的なサービスを提供し、遠隔局が単一基地局と通信を行う場合に、遠隔局は同じチャネルを使用することができる。もっと新型のＳＡＩＣ受信器で、第２、第３あるいは第４の同じＡＲＦＣＮおよびタイムスロットの上のユーザ通信サービスなど与えることは可能である。容量を改善するために使用される１つの特徴は、例えば２ユーザ／サービスが同じＴＣＨを共有する場合には２つのＴＳＣが使用され、３ユーザ／サービスが同じＴＣＨを共有する場合には、３つのＴＳＣが使用される等、共同ＴＣＨ上で多数のＴＳＣを使用することである。例えば、上に示された方法は、ＧＥＲＡＮ音声／データ呼の利点のために使用されてもよい。
【０１４０】
本方法および装置の１つのスロット上で、ＤＡＲＰ対応受信器のＳＡＩＣをマルチユーザに使用して、２つの異なるトレーニングシーケンスが同じチャネルを共有する２つの遠隔局のために使用される。評価されるトレーニングシーケンスの特徴は自己相関と相互相関である。これらのうち、相互相関は、本方法および装置にとって特に有用である。ＤＡＲＰ機能は、よい相互相関とともによく実行する。２つのトレーニングシーケンスの相互相関は、相互直交性の指標として見ることができる。単純な用語で、２つのトレーニングシーケンスがより相互に直交すると、遠隔局１２３〜１２７の受信器はより容易に、１つのトレーニングシーケンスと別のトレーニングシーケンスを区別することができる。
【０１４１】
相互相関は相互相関比として知られているパラメータによって定量される。２つのトレーニングシーケンスが全く関連しない場合（それは実際に達成されない理想的な条件である）、トレーニングシーケンス間の相互相関は皆無であり、２つのトレーニングシーケンスの相互相関比は０である。
【０１４２】
対照的に、２つのトレーニングシーケンスが完全に関連している場合（それらは共同チャネルオペレーション、およびＤＡＲＰオペレーションのための最悪の条件である）、シーケンス間の相互相関は最大化され、２つのトレーニングシーケンスの相関比は単一（つまり、１に等しい）である。
【０１４３】
ＭＵＲＯＳ呼でユーザを識別するためにテーブル４に示される２つの異なる既存のトレーニングシーケンスを使用することは可能である。テーブル４は、第３世代パートナーシッププロジェクト（３ＧＰＰ）により発表された「テクニカル仕様書第３世代パートナーシッププロジェクト；テクニカル仕様書グループＧＳＭ／ＥＤＧＥ無線アクセスネットワーク；無線経路上での多重化および多元接続（リリース４）」と題された、テクニカル仕様書文書3GPP TS 45.002 V4.8.0 (2003-06)のセクション5.2.3で示された既存のＧＳＭシステムの既存の８トレーニングシーケンスを記載する。
【０１４４】
しかしながら、既存の８つのトレーニングシーケンスだけを使用することは、周波数プランニングを制限するかもしれない４ペアのトレーニングシーケンスセットへの周波数プランニングのために、８の単独トレーニングシーケンスを縮小するだろう。したがって、本特許出願は、ＧＥＲＡＮ仕様書に定義された既存のトレーニングシーケンスで動作することができるトレーニングシーケンスの次の２つの新しいセットを示す。新しいセットは、直交するトレーニングシーケンスのセットであり、各新しいシーケンスの直交は８つの既存のトレーニングシーケンスの少なくとも１つを備える（つまり新しいシーケンスおよび既存のシーケンスは低い相互相関を有し、低い相関比を有している）。
【０１４５】
新しいトレーニングシーケンスは、本方法および装置のＧＳＭインプリメンテーションでの使用にそれらを適せさせる特に有利な相関特性を有する。新しいシーケンスはテーブル４に示される既存のシーケンスとペアになるために特に選ばれている。新しいシーケンスは、下のテーブル５および６に記載され、続く本文においてより詳細に記述される。チャネル共有に使用される２つのシーケンスが既存のセット（下のテーブル４に示される）から選択されるところで、本方法および装置が十分に作動し得る一方、既存のトレーニングシーケンスと結合してトレーニングシーケンスとして新しい相補シーケンスの使用、および、定義の手段により、よりよいパフォーマンスを得られることが決定される。
【０１４６】
従って、１例において、ＧＳＭシステムに本方法および装置を適用して、基地局１１０、１１１、１１４は、第１トレーニングシーケンスを有する第１信号、および、第１トレーニングシーケンスに相補的な新しいトレーニングシーケンスである、第２トレーニングシーケンスを含む第２信号の両方を送信する。例えば、基地局１１０、１１１、１１４は、コードＴＳＣ０（テーブル４からの）によって識別された第１トレーニングシーケンスを有する第１信号、および、第１トレーニングシーケンスＴＳＣ０に相補的な新しいトレーニングシーケンスであるコードＴＳＣ０´（テーブル５あるいは６からの）によって識別された第２トレーニングシーケンスを含む第２信号を送信する。第１トレーニングシーケンスと、第２、新しいトレーニングシーケンスとの間の相互相関比は非常に低い。この低い相互相関の結果、ＤＡＲＰ受信器のパフォーマンスは、第１および第２トレーニングシーケンスがＤＡＲＰ受信器によって同時に受け取られた２つの信号に使用される場合、特に好ましいと分かった。ＤＡＲＰ受信器は、通信に使用するために２つのトレーニングシーケンスのいずれかが遠隔局１２３〜１２７へ割り当てられたかに依存して、よりよく１番目と２番目信号を識別し、第２信号を拒絶する間によりよく第１信号を復調することができ、あるいは、第１信号を拒絶する間に第２信号を復調することができる。
【０１４７】
対応する既存のトレーニングシーケンスに対して、関連させられた時、新しいシーケンスには２／１６および４／１６の間の相互相関比率がある。追加の新しいシーケンスの使用は、一層の利点を伝送し、それによって、多くのシーケンスが、セル計画上のより多くの柔軟性およびより少数の制約を与えて、各セルあるいはセクタで利用可能である。
【０１４８】
図３５は、単一の周波数および単一のタイムスロットを備える単一チャネル上の２つの信号を送信する方法を説明するフローチャートである。方法は次のものを含んでいる：トレーニングシーケンスの第１セットから第１トレーニングシーケンスを生成すること（ブロック３５０２）；および、トレーニングシーケンスの第２セットからの第２トレーニングシーケンスを生成すること（ブロック３５１３）。第１および第２トレーニングシーケンスは互いに関して低い相互相関比を有している；また、トレーニングシーケンスの第２セットはトレーニングシーケンスの第１セットとは異なる。第１データが生成される（ブロック３５０３）。第２データが生成される（ブロック３５１３）。第１データは、第１結合データを生産する第１トレーニングシーケンスと結合し（ブロック３５０４）、また、第２データは、第２結合データを生産する第２トレーニングシーケンスと結合する（ブロック３５１４）。第１結合データは、この例において、第１信号を生成するためにキャリア上に変調され、第２結合データは、この例において、第２信号を生成するためにキャリア上に変調される。第１および第２信号（第１および第２結合データをそれぞれ含む）は、単一の送信装置によって単一チャネル上で送信される（ブロック３５３０）。任意に、第１および第２信号は送信される（ブロック３５３０）前に、組み合わせられる（ブロック３５２０）。
【０１４９】
基地局１１０、１１１、１１４へ遠隔局１２３〜１２７によって送信された信号に使用された場合、新しいトレーニングシーケンスがさらにパフォーマンスの利点を与えることができることは注目される。ＤＡＲＰ対応あるいは同様の高度なパフォーマンスを有する受信器がある基地局１１０、１１１、１１４は、各信号が異なる遠隔局１２３〜１２７により送信され、同じチャネル上でそれが受信する２つの信号をよりよく識別することができる。呼出中に、基地局１１０、１１１、１１４によって送信された呼のダウンリンク信号、および、遠隔局１２３〜１２７によって送信されたアップリンク信号の両方は、典型的には同じシーケンスを有するだろう（ＧＳＭのための場合であるとして）。
【０１５０】
上述のように、テーブル４は、ＧＳＭシステムに使用された８つの既存のトレーニングシーケンスのセットを示す。トレーニングシーケンスはＴＳＣ０乃至ＴＳＣ７と呼ばれる。トレーニングシーケンスはそれぞれ２６ビット（ビット０乃至ビット２５）を有している。これらのトレーニングシーケンスのすべてでは、トレーニングシーケンスの最初の５ビットおよび最後の５ビットは、トレーニングシーケンスのどこか他のところの５ビットの繰り返されたバージョンである。例えば、ＴＳＣ０トレーニングシーケンス（ビット２１〜２５）の５つの有効なビットは、００１００であり、これらのビットはビット５〜９で繰り返される。ＴＳＣ０トレーニングシーケンス（ビット０〜４）の最後の有効なビットは、１０１１１であり、また、これらのビットはビット１６〜２０で繰り返される。この反復のために、各トレーニングシーケンスへのショートハンド数を割り当てることは通常であり、ショートハンド数はビット５〜２０によって形成された言葉の十進法として定義されるが、その数は１６進法（hex）の形で変わりに表されることができる。このように、ＴＳＣ０のためのシリアルナンバーは、４７１７２の１０進、あるいは、テーブルの中で示されるようなＢ８４４の１６進法（hex）である。
【０１５１】
テーブル４に示されるトレーニングシーケンスは、第３世代パートナーシッププロジェクト（３ＧＰＰ）仕様書セッティング機構により公開された「テクニカル仕様書第３世代パートナーシッププロジェクト；テクニカル仕様書グループＧＳＭ／ＥＤＧＥ無線アクセスネットワーク；無線経路上の多重化および多元接続（リリース４）」と題されたテクニカル仕様書文書3GPP TS 45.002 V4.8.0 (2003-06)のセクション5.2.3に記載され、さらに、同じく第３世代パートナーシッププロジェクト（３ＧＰＰ）仕様書セッティング機構により公開された「テクニカル仕様書第３世代パートナーシッププロジェクト；テクニカル仕様書グループＧＳＭ／ＥＤＧＥ無線アクセスネットワーク；無線送信および受信（リリース４）」と題されたテクニカル仕様書文書3GPP TS 45.005 V4.18.0 (2005-11)で論じられている。
【表５】
0005431481.tif 000006
【０１５２】
テーブル４
テーブル５は、本方法および装置による使用のために、テーブル４に示されるものに相補的な新しいトレーニングシーケンスの好ましいセットを示す。新しいトレーニングシーケンスそれぞれは、既存のトレーニングシーケンスの１つと結合して使われる。新しい相補的なトレーニングシーケンスはＴＳＣ０´乃至ＴＳＣ７´と呼ばれる。
【０１５３】
ＴＳＣ１´はＴＳＣ１と結合して使われるなどである。本方法および装置を適用する際に、基地局１１０、１１１、１１４は同じチャネル上で、第１トレーニングシーケンス（例えばＴＳＣ０）を有する第１信号および第１トレーニングシーケンスに相補的である第２トレーニングシーケンス（例えばＴＳＣ０´）を備える第２信号の両方を送信する。
【表６】
0005431481.tif 000007
【０１５４】
テーブル５
適切な特性を有する新しいトレーニングシーケンスのさらなるセットはテーブル６に示される。これらのトレーニングシーケンスは、上に説明されるようにテーブル４からのそれらの対応するトレーニングシーケンスと使用される。
【表７】
0005431481.tif 000008
【０１５５】
テーブル６
ペアリングがテーブル７に示される２つの共同チャネル信号にしようされる場合、改善された共同チャネル拒絶パフォーマンスは得られる。テーブル７に示されたトレーニングシーケンスのそれぞれは、テーブル５あるいはテーブル６のいずれかからでもよい。
【表８】
0005431481.tif 000009
【０１５６】
テーブル７
あるいは、適切な性能は次のペアリングのうちのいずれかを使用することにより得られてもよい：テーブル４からの任意の２つのトレーニングシーケンス；テーブル５からの任意の２つのトレーニングシーケンス；テーブル６からの任意の２つのトレーニングシーケンス；テーブル４〜６のうちの任意ものからの異なる２つのトレーニングシーケンス。
【０１５７】
したがって、新しいトレーニングシーケンスを使用するためのステップは以下のとおりである：
ＭＵＲＯＳモードが２ユーザに対して可能になる場合、それらの少なくとも１つは、ＭＵＲＯＳおよびＤＡＲＰ対応遠隔局１２３〜１２７であり、新しいトレーニングシーケンスについての知識を有する。
【０１５８】
ワーキングパタンは０−０’、１−１´．．．、７−７´であるために選択される。しかしながら、他の組み合わせも、トレーニングシーケンスおよびそのコンプリメントの使用に加えてよく動作する。例えば１−２、１−２´は動作するだろう。しかしながら、１−１´および２−２´のようなそのコンプリメントおよびテーブル４からのトレーニングシーケンスを使用することが望ましいだろう。これはＤＡＲＰ反復過程によるものであって、それはコードの変更に適合することができる。
【０１５９】
相関関係が低いため、トレーニングシーケンスが異なることは望ましい。
【０１６０】
追加のトレーニングシーケンスコードがコードされない遠隔局１２３〜１２７側でインプリメントされる変更が少しでもあれば、追加のトレーニングシーケンスの使用は最小の結果となる。追加のトレーニングシーケンスコードの使用は、本共同ＴＣＨ方法および装置の改良である。
【０１６１】
遠隔局１２３〜１２７側でのインパクトは次のとおりである：
直交トレーニングシーケンスコードの新しいセットを定義する。既存のトレーニングシーケンスはレガシー遠隔局のために使用することができ、一方、トレーニングシーケンスの新しいセットは、この新しい特徴の実行が可能な新しい遠隔局１２３〜１２７のために使用してもよい。
【０１６２】
したがって、ＤＡＲＰ対応であることに加えて、遠隔局１２３〜１２７は新しいトレーニングシーケンスコードをさらにサポートする。
【０１６３】
ネットワーク側でのインパクトは次のとおりである：
ネットワークは、共同ＴＣＨユーザに２つの異なるトレーニングシーケンスを割り付ける。新しいトレーニングシーケンスが定義される場合、ネットワークは、新しいトレーニングシーケンスセットをサポートする遠隔局１２３〜１２７にこれらを割り付けてもよく、レガシー遠隔局１２３〜１２７にレガシートレーニングシーケンスを割り付けてもよい。
【０１６４】
図１５は本方法で用いられたステップを説明するフローチャートである。方法１５０１の開始に続いて、新しい接続が遠隔局１２３〜１２７と基地局１１０、１１１、１１４との間で要求されるかどうかに関してステップ１５０２で決定が下される。答えがＮＯである場合、方法は開始ブロック１５０１に戻り、上記のステップが繰り返される。答えがＹＥＳであって、新しい接続が必要な場合、ブロック１５０３では、未使用のチャネル（つまり任意のチャネル周波数用の不使用タイムスロット）があるかどうかに関して、決定が下される。使用されてあるいは不使用のチャネル周波数のいずれかの上に不使用タイムスロットがある場合、新しいタイムスロットはその使用されているあるいは不使用のチャネル周波数上のブロック１５０４に割り付けられる。その後、方法は開始ブロック１５０１に戻り、上記のステップが繰り返される。
【０１６５】
結局、不使用タイムスロットがもはやない場合（タイムスロットがすべて接続に使用されるので）、ブロック１５０３の質問に対する答えはＮＯであり、方法はブロック１５０５に移る。ブロック１５０５では、使用されたタイムスロットは新しい接続のために選択され、そのタイムスロットを既に使用している既存の接続と共有する。
【０１６６】
チャネル周波数上で使用されるタイムスロットは既存の接続と共に共有する新しい接続のために選択されて、新しい接続のコンプリメンタリートレーニングシーケンス（そのスロットの現在のユーザによって使用されるトレーニングシーケンスへの招待）は、その後、ブロック１５０６で選択され、新しい接続が開始される。その後、方法は、開始ブロック１５０１へ戻って、上記ステップが繰り返される。
【０１６７】
本特許出願で開示された本方法は、図１６に示されるようなＢＴＳ内のプロセッサ９６０によって実行されるメモリ９６２に格納されたソフトウェア９６１内の実行可能命令として格納されてもよい。さらに、ＢＳＣ内のプロセッサによって実行される、メモリに格納されたソフトウェア内の実行可能命令として格納されてもよい。遠隔局１２３〜１２７は、それが使用するように命じられるトレーニングシーケンスを使用する。
【０１６８】
ＴＳＣの新規提案セット：QCOM7 + QCOM8
上述のように、２つの新しいトレーニングシーケンスのセット、ＱＣＯＭ７＋ＱＣＯＭ８は、どちらがＧＳＭ仕様書の中で認識された上記の既存のトレーニングシーケンスで動作してもよいか確認された。ＱＣＯＭ７はテーブル５に相当し、ＱＣＯＭ８はテーブル６に相当する。２つの新しいシーケンスのセットは将来のＭＵＲＯＳオペレーションのために提案されている。ペアリングは次のとおりである：
トレーニングシーケンスはＧＳＭ／ＥＤＧＥ仕様書の中でＱＣＯＭ７トレーニングシーケンスと同一視され、および、トレーニングシーケンスはＧＳＭ／ＥＤＧＥ仕様書の中でＱＣＯＭ８トレーニングシーケンスと同一視される。
【０１６９】
２つのグループにトレーニングシーケンスビットのいくつかの重複がある。ＧＳＭ／ＥＤＧＥ仕様書の中で識別されたトレーニングシーケンスとペアになった時、両方のグループはよく実行される。上で議論されているように、ＭＵＲＯＳモードが２人のユーザに利用可能になる場合、ワーキングパタンは０−０´、１−１´．．．、７−７´となるように選択されてもよい。
【０１７０】
テーブル８は、新しいトレーニングシーケンスおよびレガシートレーニングシーケンスの新しいセットを使用するテストを実行するとき使用されるパラメータのテスト構成概要である。図１７〜１８はテスト結果を含み、図１９〜３４はパフォーマンスプロットである。
【表９】
0005431481.tif 000010
【０１７１】
テーブル８−テスト設定概要
追加トレーニングシーケンスコードの割り当てのためのシグナリング
現在、先行技術によれば、８つのトレーニングシーケンスが定義され、上に記述されるように、これらのトレーニングシーケンスは同じセル内の異なるユーザよりもむしろ異なるセルに渡る異なるユーザの間のセパレーションを提供するために用いられる。
【０１７２】
対照的に、ＭＵＲＯＳオペレーションによれば、セルそれぞれは２つのトレーニングシーケンスのための能力を有して、同じセル内の２ユーザのセパレーションを提供する。ＭＵＲＯＳでは、８つのトレーニングシーケンスの少なくとも１つの新しいセットが定義される。遠隔局は、それが新しいトレーニングシーケンスセットをサポートするかどうか、（ＢＳを介して）ネットワークに示す。既存のシグナリングメッセージは、８つのトレーニングシーケンスのどれを通信リンクに使用するべきであるか遠隔局に伝えるための３ビットを含んでいる。遠隔局がトレーニングシーケンスの２つのセットどれを使用するか信号で通信されることが出来るように、シグナリングメッセージは向上させられる。
【０１７３】
本方法および装置によれば、メカニズムは、シグナリングメッセージ自体のサイズの増加なしで、遠隔局へのトレーニングシーケンス情報セットを信号により通信するために定義される。
【０１７４】
図３６は、新しいトレーニングシーケンスを使用して作動する遠隔局の能力を識別する本方法および装置による基地局によって用いられるステップを含むフローチャートである。それがクラスマーク３シグナリングのようなメカニズムを介して、トレーニングシーケンスの新しいセットをサポートする場合、遠隔局はネットワークへの信号により通信する。（図３６のフローチャートのステップ１７１０を参照）。一旦遠隔局が通信チャネルのための１セット以上のトレーニングシーケンスをサポートすることをネットワークが知っていれば、その後、ネットワークは遠隔局がトレーニングシーケンスのどのセットを確立されている通信チャネルに使用することができるか決定することができる。本方法および装置によれば、チャネル記述（３ＧＰＰ  ＴＳ  ４４．０１８セクション１０．５．２．５の中で定義された）と呼ばれる既存情報エレメントは、確立されている通信チャネルに遠隔局により使用されるようにトレーニングシーケンスセットを信号により通信するために修正される。（図３６のフローチャートのステップ１７２０を参照）。チャネル記述はチャネルタイプおよびＴＤＭＡオフセットと呼ばれる５つのビット領域を有する。チャネルタイプおよびＴＤＭＡオフセットフィールドの現在のコーディングは以下のとおりである：
【表１０】
0005431481.tif 000011
【０１７５】
テーブル９
チャネルタイプおよびＴＤＭＡオフセットフィールドのコーディングから理解されるように、（ビット一８の）５番目のビットは０の値をいつも有する。
【０１７６】
本方法および装置は、どのトレーニングシーケンスセットかを示すための５番目のビットを使用し、携帯装置はトラフィックチャネルに使用されることである。この方法と装置の利点は、この情報の信頼性が既存のコントロールメッセージと一致し、変更が割り当てメッセージを切り換えられた全ての回路に対応するために仕様書で１つの場所において行われるということである。
【０１７７】
チャネルタイプおよびＴＤＭＡオフセットフィールドの提案された新しいコーディングは、下のテーブル１０に示される通りである。
【表１１】
0005431481.tif 000012
【０１７８】
テーブル１０
Ｓビットは、以下のように使用するトレーニングシーケンスセットを示す：  
Ｓ 
０    使用されるレガシートレーニングシーケンスセット    
１    使用される代わりの／新しいトレーニングシーケンスセット。
【０１７９】
遠隔局が代わりの／新しいトレーニングシーケンスセットをサポートせず、ビットＳが１にセットされた場合、遠隔局は、「アクセス不可能のチャネルモード」を引きおこすとともにＡＳＳＩＧＮＭＥＮＴ  ＦＡＩＬＵＲＥを返すものとする。
【０１８０】
単一基地局および単一遠隔局が信号を互いに送受信して、２つの呼（各々データまたは音声）をサポートする、発明のさらなるインプリメンテーションは今記述されるだろう。
【０１８１】
このインプリメンテーションでは、基地局はトレーニングシーケンスセット情報を遠隔局へ信号により通信する。シグナリングは、最初に遠隔局からのシグナリングを受信することを備え、受信されたシグナリングはトレーニングシーケンスの新しいセットが遠隔局によりサポートされているか否かを示す。基地局は、第１トレーニングシーケンスセットは遠隔局によって確立されている第１通信チャネルに使用されることになっていること、および、第２トレーニングシーケンスセットは遠隔局によって確立されている第２通信チャネルに使用されることになっていること、を信号により通信するためにチャネル記述を使用し、第１および第２トレーニングシーケンスセットは、任意の２つのレガシー、ＱＣＯＭ７およびＱＣＯＭ８トレーニングシーケンスセット（テーブル４、５および６にそれぞれ示される）を備えている。
【０１８２】
基地局と遠隔局との両方は、同じチャネル上で第１および第２結合信号（上に記述されるように第およびと第２トレーニングシーケンスをそれぞれ含んでいる）を送受信する。このように、同じ遠隔局は、１チャネル上で単一基地局と２つの呼を維持することができるが、以前に上に記述されたように、２つの呼の各々は２つの異なる遠隔局によって維持された。
【０１８３】
上記の特徴をインプリメントするために、付加的な信号情報は、それが同じチャネル上で両方のトレーニングシーケンスを使用する遠隔局へ示すべき基地局からの要求である。さらに、基地局について上述されるように、遠隔局は２つのデータストリームのそれぞれの２つの信号を結合し生成することに適合されなければならないため、遠隔局は２つの信号を同じチャネル上で送信してもよく、その信号は単一基地局を意図する。
【０１８４】
例えば、チャネルタイプおよびＴＤＭＡオフセットフィールドは、チャネルタイプおよびＴＤＭＡオフセットフィールドの１送信中に、確立されている通信チャネルに遠隔局により使用されるトレーニングシーケンスセットを示して上述の信号が送信されるために適用されてもよい。チャネルタイプおよびＴＤＭＡオフセットフィールドの第２の送信中に、付加的な信号情報は、遠隔局へそれが同じチャネル上で通信するために両方のトレーニングシーケンスを使用することを示すために、送信される。
【０１８５】
１以上の典型的な実施例では、記述された機能は、ハードウェア、ソフトウェア、ファームウェアあるいはそれらの任意の組合せにおいて実行されてもよい。もしソフトウェアの中で実行される場合、機能は、コンピュータ可読媒体上で１以上の命令あるいはコードとして送信されあるいは格納されてもよい。コンピュータ可読媒体は、ある場所から別の場所へコンピュータプ通信メディアおよびコンピュータ記憶装置の容量を含む。記憶媒体は、汎用か専用計算機によってアクセスすることができるあらゆる利用可能なメディアかもしれない。一例の限定されない方法により、そのようなコンピュータ可読媒体がＲＡＭ、ＲＯＭ、ＥＥＰＲＯＭ、ＣＤ−ＲＯＭ、あるいは、他の光学ディスク記憶装置、磁気ディスク記憶装置、あるいは、他の磁気記憶装置、あるいは、データ構造あるいは命令の形で希望のプログラムコード手段を格納しあるいは伝送するために使用でき、汎用又は専用コンピュータ、あるいは、汎用又は専用プロセッサによりアクセス可能なあらゆる他の媒体を含むことができる。ログラムの転送を促進する任意の媒体を含む。さらに、どんな接続も、適切にコンピュータ可読媒体と名付けられる。例えば、同軸ケーブル、光ファイバーケーブル、ツイストペア、デジタル加入者線（ＤＳＬ）あるいは赤外線、無線およびマイクロ波のような無線技術を使用して、ソフトウェアがウェブサイト、サーバあるいは他の遠隔ソースから送信される場合、同軸ケーブル、光ファイバーケーブル、ツイストペア、ＤＳＬあるいは赤外線、無線およびマイクロ波のような無線技術は、媒体の定義に含まれている。ディスクがレーザーでデータを光学的に再生する間に、ディスクが通常磁気的にデータを再生するところで、ディスクとディスクは、ここに使用されるように、コンパクトディスク（ＣＤ）、レーザディスク、光ディスク、ディジタル・バーサタイル・ディスク（ＤＶＤ）、フロッピー（登録商標）ディスクおよびブルーレイディスクを含んでいる。上記のものの組合せもコンピュータ可読媒体の範囲内に含まれているべきである。
【０１８６】
ここに記述された方法は、様々な手段によって実現されてもよい。例えば、これらの方法はハードウェア、ファームウェア、ソフトウェアあるいはそれの組合せの中で実現されてもよい。ハードウェア実現のため、ＣＣＩなどを取り消し、ＩおよびＱサンプルのフィルタ、ＡＣＩの検知のために使用される演算処理装置は、１つ以上の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここで記載された機能を行うために設計された他の電子ユニット、コンピュータ、あるいはそれらの組み合わせ。
【０１８７】
開示の前の記述は、どんな当業者も開示を使用しあるいは作成することが出来るように提供されている。開示への様々な修正はそれらの当業者に容易に明白になり、ここに定義された総括的な法則は、開示の範囲あるいは趣旨から外れずに他の変化に適用されてもよい。したがって、その開示は、ここに記述された例に制限されるようには意図されないが、ここに開示された法則と新規の特徴と一致する最も広い範囲が与えられる。
【０１８８】
本技術における当業者は、任意の情報と信号が様々な異なる技術および技能を使用して表わされてもよいと理解するだろう。例えば、上記の記述の全体にわたって参照されてもよいデータ、命令、コマンド、情報、信号、ビット、記号およびチップは、電圧、電流、電磁波、磁界、あるいは、素粒子、光学フィールドあるいは素粒子、あるいはそれらの任意の組合せによって表わされてもよい。
【０１８９】
当業者は、ここに開示された実施例に関して記述されたアルゴリズムステップ、回路、モジュール、および、様々な事例となる論理ブロックは、電子ハードウェア、コンピュータソフトウェア、あるいは、両方の組み合わせとして実現されてもよいことをさらに認識するだろう。明白にハードウェアおよびソフトウェアのこの互換性を説明するために、様々な実例となるコンポーネント、ブロック、モジュール、回路およびステップはそれらの機能性の点から上に一般に記述された。ハードウェアまたはソフトウェアとしてそのような機能性が実現されるかどうかは、システム全体に課された設計制約と特定のアプリケーションに依存する。当業者は、各特定のアプリケーションの方法を変えて記述された機能性を実現してもよいが、そのような実現決定は本発明の範囲から逸脱を引き起こすと解釈されるべきでない。
【０１９０】
ここに開示された実施例に関して記載された回路、モジュール、および様々な実例となる論理ブロックは、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブルロジックデバイス、個別のゲートあるいはトランジスタロジック、個別のハードウェアコンポーネント、あるいは、ここに記述された機能を行なうために設計されたそれらの任意の組合せで実現されてもよいし行なわれてもよい。  汎用プロセッサはマイクロプロセッサでもよいが、代案では、プロセッサは任意の従来のプロセッサ、コントローラ、マイクロコントローラあるいはステートマシンでもよい。プロセッサも、コンピューティング装置、例えばＤＳＰとマイクロプロセッサとの組み合わせ、複数個のマイクロプロセッサ、ＤＳＰコアと協力する１個以上のマイクロプロセッサ、あるいは、他のそのような構成の組合せとして実現されてもよい。
【０１９１】
ここに示された実施例に関して記述された方法かアルゴリズムのステップは、ハードウェア、プロセッサによって実行されたソフトウェアモジュール、あるいは２つの組合せで直接具体化されてもよい。ソフトウェアモジュールは、ランダムアクセスメモリ（ＲＡＭ）、フラッシュメモリ、リードオンリーメモリ（ＲＯＭ）、電子プログラマブルロム（ＥＰＲＯＭ）、電子イレイサブルプログラマブルロム（ＥＥＰＲＯＭ）、レジスタ、ハードディスク、リムーバブルディスク、ＣＤ−ＲＯＭあるいは本技術中で既知の記憶媒体の他の形に存在してもよい。典型的な記憶媒体は、プロセッサが情報を読み出し、情報を書き込むことができる記録媒体のようなプロセッサにつながれる。代案では、記憶媒体はプロセッサに不可欠かもしれない。プロセッサと記憶媒体とはＡＳＩＣに存在してもよい。ＡＳＩＣはユーザ端末に存在してもよい。代案では、プロセッサと記憶媒体とはユーザ端末の個別部品として存在してもよい。
【０１９２】
したがって、本発明は次の請求項に従う以外において制限されたことではない。
以下に、本件出願当初の特許請求の範囲を付記する。
［Ｃ１］
信号周波数および信号タイムスロットを備える単一チャネルにおいて２つの信号送信する方法であって、
トレーニングシーケンスの第１セットから第１トレーニングシーケンスを生成し、
トレーニングシーケンスの第２セットから第２トレーニングシーケンスを生成し、前記第２トレーニングシーケンスは前記第１トレーニングシーケンスと異なり、前記第１および第２トレーニングシーケンスは互いに低い相互相関比を有し、トレーニングシーケンスの前記第２セットはトレーニングシーケンスの前記第１セットと異なり、
第１データを生成し、
第２データを生成し、
前記第１データと前記第１トレーニングシーケンスを合わせて第１合成データを形成し、
前記第２データと前記第２トレーニングシーケンスを合わせて第２合成データを形成し、
前記第１合成データを備える第１信号と前記第２合成データを備える第２信号とを信号送信装置により単一チャネルにおいて送信する方法。
［Ｃ２］
トレーニングシーケンスの前記第２セットを示す信号を受信することは遠隔局によりサポートされる［Ｃ１］記載の方法。
［Ｃ３］
信号を送信することは、前記トレーニングシーケンスの第２セットは前記遠隔局によって接続に使用されることを示すチャネル記述を含む、［Ｃ１］又は［Ｃ２］記載の方法。
［Ｃ４］
前記チャネル記述は、チャネルタイプフィールドおよびＴＤＭＡオフセットフィールドを備え、
前記チャネルタイプフィールドおよびＴＤＭＡオフセットフィールドは、
8 7 6 5 4 (ビット数)
S 0 0 0 1     TCH/F + ACCHs
S 0 0 1 T     TCH/H + ACCHs
S 0 1 T T     SDCCH/4 + SACCH/C4 あるいは CBCH (SDCCH/4)
S 1 T T T     SDCCH/8 + SACCH/C8 あるいは CBCH (SDCCH/8),を備え、
Ｓの値で示された前記ビット数８は、使用するトレーニングシーケンスセットを示す、［Ｃ３］記載の方法。
［Ｃ５］
トレーニングシーケンスの前記第１セットの各シーケンスは、トレーニングシーケンスの前記第１セットの前記シーケンスに関して最低の相互相関比を提供するトレーニングシーケンスの前記第２セットにおいて相補配列を備える、［Ｃ４］記載の方法。
［Ｃ６］
トレーニングシーケンス（ＴＳＣ７へのＴＳＣ０）の前記第１セットは、
00100 1011100001000100 10111 (TSC 0)
00101 1011101111000101 10111 (TSC 1) 
01000 0111011101001000 OH IO (TSC 2)
01000 1111011010001000 11110 (TSC 3) 
00011 0101110010000011 01011 (TSC 4)
01001 1101011000001001 11010 (TSC 5) 
10100 1111101100010100 11111 (TSC 6)
11101 1110001001011101 11100 (TSC 7)を備え、
トレーニングシーケンスの前記第２セットは、
01111 1100110101001111 11001 (TSC 0')
01100 1111110010101100 11111 (TSC 1 ')
01110 1101111010001110 11011 (TSC 2')
01101 1110100011101101 11101 (TSC 3')
11110 1101110001011110 11011 (TSC 4')
01010 1100111111001010 11001 (TSC 5')
01101 1100101000001101 11001 (TSC 6')
11100 1101010011111100 11010 (TSC 7’) あるいは
01111 1100110101001111 11001 (TSC 0')
01101 1100010111101101 11000 (TSC 1 ')
00101 1110110111000101 11101 (TSC 2')
11110 1101110001011110 11011 (TSC 3')
01100 1111110010101100 11111(TSC 4')
01010 0000110111001010 00001 (TSC 5')
01000 0101110001001000 01011 (TSC 6')
11100 1011111011111100 10111 (TSC 7')のどちらかを備える［Ｃ５］記載の方法。
［Ｃ７］
前記第１および第２信号を組み合わせて結合した信号を生成し、前記結合した信号を送信することをさらに備える［Ｃ１乃至６のいずれか１項］記載の方法。
［Ｃ８］
前記送信装置は単一基地局の一部であり、
前記第１および第２信号は、第１および第２遠隔局のそれぞれに用いられ、
前記遠隔局は前記単一基地局に両方従う［Ｃ１］乃至［Ｃ７］のいずれか１項記載の方法。
［Ｃ９］
前記第２トレーニングシーケンスは遠隔局装置により送信された信号に用いられる［Ｃ１］乃至［Ｃ８］のいずれか１項記載の方法。
［Ｃ１０］
単一の周波数および単一のタイムスロットを備える単一チャネルにおいて２つの信号を送信する装置であって、
トレーニングシーケンスの第１セットから第１トレーニングシーケンスを生成する手段と、
トレーニングシーケンスの第２セットから第２トレーニングシーケンスを生成する手段と、前記第１および第２トレーニングシーケンスを生成する手段は、前記第２トレーニングシーケンスは前記第１トレーニングシーケンスと異なり、前記第１および第２シーケンスは互いに低い相互相関比を有し、トレーニングシーケンスの前記第２セットは、トレーニングシーケンスの前記第１セットと異なるように、前記第１および第２トレーニングシーケンスを生成するように構成され、
第１データを生成する手段と、
第２データを生成する手段と、
前記第１データと前記第１トレーニングシーケンスとを合わせて第１合成データを形成する手段と、
前記第２データと前記第２トレーニングシーケンスとを合わせて第２合成データを形成する手段と、
単一送信装置によって単一チャネルにおいて第１合成データを備える第１信号と第２合成データを備える第２信号とを送信する手段と、を備える装置。
［Ｃ１１］
トレーニングシーケンスの前記第２セットが遠隔局によりサポートされたことを示す信号を受信する手段をさらに備える［Ｃ１０］記載の装置。
［Ｃ１２］
トレーニングシーケンスの前記第２セットは前記遠隔局により接続に使用されることを示すチャネルの記述を備える信号を送信する手段をさらに備える［Ｃ１１］記載の装置。
［Ｃ１３］
前記装置は、前記チャネルの記述がチャネルタイプフィールドとＴＤＭＡオフセットフィールドとを有し、
前記チャネルタイプフィールドとＴＤＭＡオフセットフィールドとは、
8 7 6 5 4 (ビット数)
S 0 0 0 1     TCH/F + ACCHs
S 0 0 1 T     TCH/H + ACCHs
S 0 1 T T     SDCCH/4 + SACCH/C4 あるいは CBCH (SDCCH/4)
S 1 T T T     SDCCH/8 + SACCH/C8 あるいは CBCH (SDCCH/8)、を備え
Ｓの値で示された前記ビット数８は、使用するトレーニングシーケンスを示す［Ｃ１２］記載の装置。
［Ｃ１４］
前記第１および第２トレーニングシーケンスを生成する前記手段は、トレーニングシーケンスの前記第１セットの各シーケンスはトレーニングシーケンスの前記第１セットの前記シークエンスに対して最低の相互相関比を提供するトレーニングシーケンスの前記第２セットの相補配列を有するように、前記第１および第２トレーニングシーケンスを生成するように構成されている［Ｃ１３］記載の装置。
［Ｃ１５］
トレーニングシーケンス（ＴＳＣ７へのＴＳＣ０）の前記第１セットは、
00100 1011100001000100 10111 (TSC 0) 
00101 1011101111000101 10111 (TSC 1) 
01000 0111011101001000 01110 (TSC 2)
01000 1111011010001000 11110 (TSC 3)
00011 0101110010000011 01011 (TSC 4)
01001 1101011000001001 11010 (TSC 5)
10100 1111101100010100 11111 (TSC 6)
11101 1110001001011101 11100 (TSC 7))を備え、
トレーニングシーケンスの前記第２セットは、
01111 1100110101001111 11001 (TSC 0’)
01100 1111110010101100 11111 (TSC 1’)
01110 1101111010001110 11011 (TSC 2’)
01101 1110100011101101 11101 (TSC 3’)
11110 1101110001011110 11011 (TSC 4’)
01010 1100111111001010 11001 (TSC 5’)
01101 1100101000001101 11001 (TSC 6’)
11100 1101010011111100 11010 (TSC 7’) あるいは
01111 1100110101001111 11001 (TSC 0’)
01101 1100010111101101 11000 (TSC 1’)
00101 1110110111000101 11101 (TSC 2’)
11110 1101110001011110 11011 (TSC 3’)
01100 1111110010101100 11111(TSC 4’)
01010 0000110111001010 00001 (TSC 5’)
01000 0101110001001000 01011 (TSC 6’)
11100 1011111011111100 10111 (TSC 7’) を備えるように、前記第１および第２トレーニングシーケンスを生成する前記手段は前記トレーニングシーケンスを生成する［Ｃ１４］記載の装置。
［Ｃ１６］
前記第１および第２信号を合わせて合成信号を生成する手段をさらに備え、前記送信する手段は前記合成信号を送信するために配置される［Ｃ１０］乃至［Ｃ１５］のいずれか１項記載の装置。
［Ｃ１７］
前記装置は単一基地局の一部であって、
前記装置は第１および第２遠隔局のそれぞれに従って、前記第１および第２信号を前記それぞれの第１および第２遠隔局に送信するように構成される［Ｃ１０］乃至［Ｃ１６］のいずれか１項記載の装置。
［Ｃ１８］
遠隔局により送信される信号を受信する受信器をさらに備え、前記信号は前記第２トレーニングシーケンスを備える［Ｃ１０］乃至［Ｃ１７］のいずれか１項記載の装置。
［Ｃ１９］
プロセッサと、
前記プロセッサとの電子通信におけるメモリと、
前記メモリに格納された命令と、を備え、前記命令は前記プロセッサにより、
トレーニングシーケンスの第１セットの第１トレーニングシーケンスを生成し、
トレーニングシーケンスの第２あるいは第３セットの第２トレーニングシーケンスを生成し、前記第２トレーニングシーケンスは前記第１トレーニングシーケンスとは異なり、第２および第２トレーニングシーケンスのそれぞれは他のトレーニングシーケンスに対して低い相互相関比を有し、
第１データを生成し、
第２データを生成し、
前記第１データを前記第１トレーニングシーケンスと合わせて第２合成データを形成し、
前記第２データを前記第２トレーニングシーケンスと合わせて第２合成データを形成し、
単一周波数および単一タイムスロットを備える第１チャネルにおいて単一送信装置により、前記第１合成データを備える第１信号と前記第２合成データを備える第２信号とを送信することを可能にする装置。
［Ｃ２０］
トレーニングシーケンスの第１あるいは第２セットのトレーニングシーケンスを生成する手段と、
データを生成する手段と、
前記トレーニングシーケンスを前記データを合わせて合成データを形成する手段と、 単一周波数および単一タイムスロットを備える信号チャネル上で前記合成データを備える信号を送信する手段と、
トレーニングシーケンスの前記第１および第２セットの両方が遠隔局によりサポートされていることを示す能力信号を送信する手段と、
トレーニングシーケンスの前記第２セットが使用されることを示すチャネルの記述を備える信号を受信する手段と、
前記チャネルの記述の表示に依存するトレーニングシーケンスの前記第２セットからトレーニングシーケンスを生成するように構成されたトレーニングシーケンスを生成する手段と、を備える遠隔局装置。
［Ｃ２１］
無線通信システムにおいて作動する装置であって、
送信する第１および第２データを供給するためのデータソースと、
第２トレーニングシーケンスおよび第２異なるトレーニングシーケンスを生成する少なくとも１つのシーケンス生成器と、
前記第１トレーニングシーケンスを前記第１データと合わせて第１合成データを形成し、前記第２トレーニングシーケンスを前記第２データと合わせて第２合成データを形成するための合成器と、
同じ搬送周波数および同じタイムスロットを使用して前記第１および第２合成データの両方を変調および送信する送信機と、を備え、前記第１トレーニングシーケンスと前記第２の相補的な新たなトレーニングシーケンスとの間の相関比は非常に低い装置。
［Ｃ２２］
前記第１トレーニングシーケンスは前記第２トレーニングシーケンスに相補的である［Ｃ２１］記載の装置。
［Ｃ２３］
前記少なくとも１つのシーケンス生成器は、複数のシーケンス生成器である［Ｃ２１］記載の装置。
［Ｃ２４］
コンピュータにより実行され時に［Ｃ１］乃至［Ｃ９］のいずれか１項に記載された方法を実行する命令を備えるコンピュータ可読媒体。 
【図１】
0005431481.tif 000013
【図２】
0005431481.tif 000014
【図３】
0005431481.tif 000015
【図４】
0005431481.tif 000016
【図５】
0005431481.tif 000017
【図６】
0005431481.tif 000018
【図７】
0005431481.tif 000019
【図８Ａ】
0005431481.tif 000020
【図８Ｂ】
0005431481.tif 000021
【図９】
0005431481.tif 000022
【図１０Ａ】
0005431481.tif 000023
【図１０Ｂ】
0005431481.tif 000024
【図１１】
0005431481.tif 000025
【図１２】
0005431481.tif 000026
【図１３】
0005431481.tif 000027
【図１４】
0005431481.tif 000028
【図１５】
0005431481.tif 000029
【図１６】
0005431481.tif 000030
【図１７】
0005431481.tif 000031
【図１８】
0005431481.tif 000032
【図１９】
0005431481.tif 000033
【図２０】
0005431481.tif 000034
【図２１】
0005431481.tif 000035
【図２２】
0005431481.tif 000036
【図２３】
0005431481.tif 000037
【図２４】
0005431481.tif 000038
【図２５】
0005431481.tif 000039
【図２６】
0005431481.tif 000040
【図２７】
0005431481.tif 000041
【図２８】
0005431481.tif 000042
【図２９】
0005431481.tif 000043
【図３０】
0005431481.tif 000044
【図３１】
0005431481.tif 000045
【図３２】
0005431481.tif 000046
【図３３】
0005431481.tif 000047
【図３４】
0005431481.tif 000048
【図３５】
0005431481.tif 000049
【図３６】
0005431481.tif 000050